(57)【特許請求の範囲】
【請求項１】
通信チャネルが空いているとき無線通信を行い、かつ通信チャネルが空いていないとき無線通信を行わない無線通信方式に従って無線通信を行う無線装置であって、
無線装置を制御するための制御信号を生成する生成手段と、
当該無線装置が無線通信に用いる通信帯域の少なくとも１つの通信チャネルの干渉の程度に基づいて前記制御信号を送信するための少なくとも１つの通信チャネルを選択する選択手段と、
前記選択手段によって選択された少なくとも１つの通信チャネルを用いて前記無線通信方式に従って前記制御信号を送信する送信手段とを備え、
前記選択手段は、前記通信帯域の全ての通信チャネルのうち、複数の通信チャネルに干渉が有るとき、少なくとも前記複数の通信チャネルを用いたチャネルボンディングを選択する、無線装置。
【請求項２】
前記選択手段は、前記通信帯域の全ての通信チャネルに干渉が無いとき、前記全ての通信チャネルのうちの少なくとも１つの通信チャネルを選択する、請求項１に記載の無線装置。
【請求項３】
前記選択手段は、前記通信帯域の全ての通信チャネルのうち、１つの通信チャネルのみに干渉が有るとき、前記１つの通信チャネルを選択する、請求項１に記載の無線装置。
【請求項４】
前記選択手段は、前記通信帯域の全ての通信チャネルに干渉が無いとき、前記全ての通信チャネルを用いたチャネルボンディングを選択する、請求項１に記載の無線装置。
【請求項５】
前記送信手段は、前記選択手段によって選択されたチャネルリストに基づいて通信チャネルを切り替えながら前記制御信号を連送または再送する、請求項１から請求項４のいずれか１項に記載の無線装置。
【請求項６】
前記制御信号は、情報をフレーム長によって表した信号である、請求項１から請求項５のいずれか１項に記載の無線装置。
【請求項７】
請求項１から請求項６のいずれか１項に記載の無線装置を備える無線通信システム。
【発明の詳細な説明】
【技術分野】
【０００１】
この発明は、無線装置およびそれを備えた無線通信システムに関する。
【背景技術】
【０００２】
従来、無線基地局と、無線基地局をスリープ状態から起動状態へ移行させる端末装置とを備える無線通信システムが知られている（特許文献１）。
【０００３】
この無線通信システムにおいては、端末装置は、スリープ状態から起動状態へ移行させたい無線基地局の識別情報を表すフレーム長を有する無線フレームを生成し、その生成した無線フレームを無線基地局へ送信する。ここで、この無線フレームは、無線基地局をスリープ状態から起動状態へ移行させるためのウェイクアップ信号である。
【０００４】
無線基地局は、無線フレームを端末装置から受信し、その受信した無線フレームのフレーム長が自己の識別情報に一致するとき、スリープ状態から起動状態へ移行する。
【先行技術文献】
【特許文献】
【０００５】
【特許文献１】特許第５１９０５６９号公報
【特許文献２】特開２００９−０７７３７５号公報
【発明の概要】
【発明が解決しようとする課題】
【０００６】
しかし、従来の無線通信システムにおいては、端末装置は、ウェイクアップ信号を送信するためのチャネルのみをキャリアセンスした後にウェイクアップ信号を送信する。そのため、端末装置は、ウェイクアップ信号を送信するためのチャネル以外の他のチャネルに干渉信号が存在していても、ウェイクアップ信号を送信する。
【０００７】
この場合、ウェイクアップ信号を受信する受信装置は、全チャネルの信号を受信するため、複数のチャネルの信号が重なった信号を受信する。その結果、受信装置は、正しいウェイクアップ信号（フレーム長）を検出することが困難になる。
【０００８】
また、ウェイクアップ信号の送信開始時に他のチャネルに干渉が存在しなくても、ウェイクアップ信号の送信開始後、他のチャネルで無線通信を行う干渉端末装置は、自己のチャネルのみをキャリアセンスして送信を行うので、ウェイクアップ信号の存在に気付かない。その結果、干渉端末装置からの送信により、受信装置は、上記と同様の理由により、正しいウェイクアップ信号（フレーム長）を検出することが困難になる。
【０００９】
ウェイクアップ信号を送信した際、伝搬経路の環境により、ある特定の距離での受信信号強度が低くなり、ウェイクアップ信号（フレーム長）の検出が著しく劣化する場合がある。送信機と受信機との距離がその特定の距離に一致した場合、ウェイクアップ信号の再送を何回繰り返しても、受信装置がスリープ状態から起動状態への移行に失敗する。
【００１０】
そこで、この発明の実施の形態によれば、制御信号を正確に送信可能な無線装置を提供する。
【００１１】
また、この発明の実施の形態によれば、制御信号を正確に送信可能な無線装置を備える無線通信システムを提供する。
【課題を解決するための手段】
【００１２】
この発明の実施の形態によれば、無線装置は、通信チャネルが空いているとき無線通信を行い、かつ通信チャネルが空いていないとき無線通信を行わない無線通信方式に従って無線通信を行う無線装置であって、生成手段と、選択手段と、送信手段とを備える。生成手段は、無線装置を制御するための制御信号を生成する。選択手段は、当該無線装置が無線通信に用いる通信帯域の少なくとも１つの通信チャネルの干渉の程度に基づいて制御信号を送信するための少なくとも１つの通信チャネルを選択する。送信手段は、選択手段によって選択された少なくとも１つの通信チャネルを用いて無線通信方式に従って制御信号を送信する。
【００１３】
この発明の実施の形態によれば、無線装置は、全ての通信チャネルに干渉が無いとき、全ての通信チャネルのうちの少なくとも１つの通信チャネルを選択し、その選択した通信チャネルを用いて制御信号を送信し、全ての通信チャネルのうちの少なくとも１つのチャネルに干渉が有るとき、干渉が有る少なくとも１つのチャネルを選択し、その選択したチャネルを用いて制御信号を送信する。その結果、全ての通信チャネルに干渉が無いとき、全ての通信チャネルのうちの少なくとも１つの通信チャネルを用いて制御信号を送信しても、干渉信号がウェイクアップ信号に重畳することは無い。また、全ての通信チャネルのうちの少なくとも１つのチャネルに干渉が有るとき、干渉が有る少なくとも１つのチャネルを用いて制御信号を送信すると、他の無線装置が制御信号を検知して自己の無線通信を中止するので干渉信号が制御信号に重畳することは無い。
【００１４】
従って、制御信号を送信先へ正確に送信できる。
【００１５】
好ましくは、選択手段は、通信帯域の全ての通信チャネルに干渉が無いとき、全ての通信チャネルのうちの少なくとも１つの通信チャネルを選択する。
【００１６】
全ての通信チャネルに干渉が無いとき、全ての通信チャネルのうちの少なくとも１つの通信チャネルを用いて制御信号を送信しても、干渉信号が制御信号に重畳されることは無い。
【００１７】
従って、制御信号を正確に送信できる。
【００１８】
好ましくは、選択手段は、通信帯域の全ての通信チャネルのうち、１つの通信チャネルのみに干渉が有るとき１つの通信チャネルを選択する。
【００１９】
干渉が有る１つの通信チャネルのみを用いて制御信号を送信することにより、他の無線装置が制御信号を検知して自己の無線通信を停止するので、他の無線装置からの干渉信号が制御信号に重畳するのを確実に防止できる。
【００２０】
従って、制御信号を正確に送信できる。
【００２１】
好ましくは、選択手段は、通信帯域の全ての通信チャネルのうち、複数の通信チャネルに干渉が有るとき、少なくとも複数の通信チャネルを用いたチャネルボンディングを選択する。
【００２２】
干渉が有る複数の通信チャネルの周波数帯域を少なくとも用いて制御信号を送信するので、当該無線装置以外の複数の無線装置が制御信号を検知して自己の無線通信を停止し、複数の無線装置からの複数の干渉信号が制御信号に重畳するのを確実に防止できる。
【００２３】
従って、複数の干渉信号が重畳するのを防止して制御信号を正確に送信できる。
【００２４】
好ましくは、選択手段は、通信帯域の全ての通信チャネルに干渉が無いとき、全ての通信チャネルを用いたチャネルボンディングを選択する。
【００２５】
制御信号は、全ての通信チャネルの周波数帯域で送信される。その結果、当該無線装置以外の無線装置が制御信号を検知して全ての通信チャネルにおいて自己の無線通信を停止する。
【００２６】
従って、制御信号を正確に送信できる。
【００２７】
好ましくは、送信手段は、選択手段によって選択されたチャネルリストに基づいて通信チャネルを切り替えながら制御信号を連送または再送する。
【００２８】
特定の距離における受信信号強度の落ち込みを抑制してウェイクアップ信号を送信先へ正確に送信できる。
【００２９】
制御信号は、情報をフレーム長によって表した信号である。
【００３０】
制御信号の受信機は、電波の有無のみを検出してフレーム長を検出すればよく、受信機の消費電力を低減できる。
【００３１】
また、この発明の実施の形態によれば、無線通信システムは、請求項１から請求項７のいずれか１項に記載の無線装置を備える。
【００３２】
この発明の実施の形態によれば、無線通信システムは、請求項１から請求項７のいずれか１項に記載の無線装置を備えるので、制御信号を正確に送受信できる。
【発明の効果】
【００３３】
制御信号を正確に送信できる。
【図面の簡単な説明】
【００３４】
【図１】この発明の実施の形態による無線通信システムの概略図である。
【図２】図１に示す無線基地局の実施の形態１における構成図である。
【図３】図２に示すウェイクアップ信号受信機の構成図である。
【図４】図１に示す端末装置の実施の形態１における構成図である。
【図５】ビット列と無線フレームの時間長であるフレーム長との変換表を示す図である。
【図６】包絡線検波およびビット判定の概念図である。
【図７】累積値とビット列との変換表を示す図である。
【図８】実施の形態１におけるチャネルボンディングの概念図である。
【図９】図１に示す無線通信システムにおける動作を説明するための実施の形態１におけるフローチャートである。
【図１０】累積値とビット列との別の変換表を示す図である。
【図１１】図１に示す無線通信システムにおける別の動作を説明するための実施の形態１におけるフローチャートである。
【図１２】図１に示す端末装置の実施の形態２における構成図である。
【図１３】実施の形態２におけるウェイクアップ信号の送信方法を示すフローチャートである。
【図１４】チャネルボンディングの他の概念図である。
【図１５】実施の形態２におけるウェイクアップ信号の別の送信方法を示すフローチャートである。
【図１６】ウェイクアップ信号を連送する方法を示すフローチャートである。
【図１７】ウェイクアップ信号の連送時におけるチャネルの選択例を示す図である。
【図１８】ウェイクアップ信号の別の連送方法を示すフローチャートである。
【図１９】ウェイクアップ信号の再送方法を示すフローチャートである。
【図２０】ウェイクアップ信号の別の再送方法を示すフローチャートである。
【図２１】ウェイクアップ信号の別の送信方法を説明するための図である。
【図２２】図２に示すウェイクアップ信号受信機の別の構成図である。
【図２３】図１に示す無線通信システムにおける動作を説明するための実施の形態２におけるフローチャートである。
【図２４】図１に示す無線通信システムにおける別の動作を説明するための実施の形態２におけるフローチャートである。
【図２５】図１に示す無線通信システムにおける更に別の動作を説明するための実施の形態２におけるフローチャートである。
【図２６】図１に示す無線通信システムにおける更に別の動作を説明するための実施の形態２におけるフローチャートである。
【図２７】図１に示す無線通信システムにおける更に別の動作を説明するための実施の形態２におけるフローチャートである。
【図２８】図１に示す無線通信システムにおける更に別の動作を説明するための実施の形態２におけるフローチャートである。
【図２９】図１に示す無線通信システムにおける更に別の動作を説明するための実施の形態２におけるフローチャートである。
【発明を実施するための形態】
【００３５】
本発明の実施の形態について図面を参照しながら詳細に説明する。なお、図中同一または相当部分には同一符号を付してその説明は繰返さない。
【００３６】
図１は、この発明の実施の形態による無線通信システムの概略図である。図１を参照して、この発明の実施の形態による無線通信システム１０は、無線基地局１と、端末装置２とを備える。
【００３７】
無線基地局１は、通信範囲ＲＥＧを有する。また、無線基地局１は、有線ケーブル２０を介してネットワーク３０に接続される。
【００３８】
無線基地局１は、端末装置２を管理するためのビーコンフレームＢｅａｃｏｎ（＝管理フレーム）を定期的に送信するとともに、端末装置２と無線通信を行う起動状態と、端末装置２と無線通信（＝データの送受信）を行うことができないスリープ状態とを有する。
【００３９】
無線基地局１は、一定の期間、端末装置２と無線通信を行わなかったとき、または自己に帰属する端末装置が存在しないとき（即ち、通信範囲ＲＥＧ内に端末装置が存在しないとき）、起動状態からスリープ状態へ移行する。
【００４０】
また、無線基地局１は、スリープ状態において、端末装置２から自己を起動させるためのウェイクアップ信号を受信すると、スリープ状態から起動状態へ移行する。そして、無線基地局１は、端末装置２と無線通信を行うとともに、有線ケーブル２０およびネットワーク３０を介して他の通信装置と通信を行う。この場合、無線基地局１は、例えば、ＩＥＥＥ８０２．１１ａｃの周波数帯（５ＧＨｚ帯）に含まれる１つのチャネルで端末装置２と無線通信を行う。
【００４１】
５ＧＨｚ帯は、５．１８〜５．７０ＧＨｚの周波数帯域を有し、チャネル番号がＣｈ３６，Ｃｈ４０，Ｃｈ４４，Ｃｈ４８，Ｃｈ５２，Ｃｈ５６，Ｃｈ６０，Ｃｈ６４，Ｃｈ１００，Ｃｈ１０４，Ｃｈ１０８，Ｃｈ１１２，Ｃｈ１１６，Ｃｈ１２０，Ｃｈ１２４，Ｃｈ１２８，Ｃｈ１３２，Ｃｈ１３６，Ｃｈ１４０である１９個の周波数チャネルを含む。１９個の周波数チャネルの各々は、中心周波数と帯域幅とを有する。この発明の実施の形態においては、周波数チャネルを「チャネル」と言い、チャネルが異なるとは、中心周波数が異なることを言う。
【００４２】
端末装置２は、無線基地局１の通信範囲ＲＥＧ内に存在する。そして、端末装置２は、無線基地局１からビーコンフレームＢｅａｃｏｎを受信しないとき、無線基地局１がスリープ状態であると判定する。そして、端末装置２は、無線基地局１がスリープ状態にあるときに無線基地局１との間で無線通信を開始するとき、無線基地局１を起動させるためのウェイクアップ信号を生成し、その生成したウェイクアップ信号を５ＧＨｚ帯で無線通信によって無線基地局１へ送信する。即ち、端末装置２は、無線基地局１との無線通信に用いる周波数帯と同じ周波数帯を用いてウェイクアップ信号を無線基地局１へ送信する。
【００４３】
また、端末装置２は、無線基地局１が起動状態であるとき、通常の無線通信を５ＧＨｚ帯に含まれる１つのチャネルで無線基地局１と行う。
【００４４】
［実施の形態１］
図２は、図１に示す無線基地局１の実施の形態１における構成図である。図２を参照して、無線基地局１は、アンテナ１１と、切替器１２と、ウェイクアップ信号受信機１３と、メイン装置１４と、電源１５とを含む。
【００４５】
アンテナ１１は、切替器１２を介してウェイクアップ信号受信機１３またはメイン装置１４に接続される。
【００４６】
切替器１２は、アンテナ１１と、ウェイクアップ信号受信機１３およびメイン装置１４との間に接続される。
【００４７】
アンテナ１１は、無線通信によって端末装置２から無線フレームを受信し、その受信した無線フレームを切替器１２を介してウェイクアップ信号受信機１３またはメイン装置１４へ出力する。また、アンテナ１１は、メイン装置１４から受けた無線フレームを無線通信によって端末装置２へ送信する。
【００４８】
切替器１２は、メイン装置１４からの制御信号ＣＴＬに応じて、アンテナ１１をウェイクアップ信号受信機１３またはメイン装置１４に接続する。
【００４９】
ウェイクアップ信号受信機１３は、例えば、１００μＷの電力を電源１５から受け、その受けた電力によって駆動される。また、ウェイクアップ信号受信機１３は、メイン装置１４がスリープ状態にあるとき、切替器１２を介してアンテナ１１に接続される。そして、ウェイクアップ信号受信機１３は、アンテナ１１を介して端末装置２から無線フレームを受信すると、その受信した無線フレームの長さによって表されるウェイクアップＩＤを検出し、その検出したウェイクアップＩＤが無線基地局１のＩＤに一致するか否かを判定する。ウェイクアップ信号受信機１３は、ウェイクアップＩＤが無線基地局１のＩＤに一致すると判定したとき、起動信号を生成し、その生成した起動信号をメイン装置１４へ出力する。
【００５０】
一方、ウェイクアップ信号受信機１３は、ウェイクアップＩＤが無線基地局１のＩＤに一致しないとき、無線フレームを破棄する。そして、ウェイクアップ信号受信機１３は、無線フレームの受信を待つ状態になる。
【００５１】
なお、ウェイクアップ信号受信機１３は、無線基地局１をウェイクアップさせるための無線フレームを受信する機能のみを有し、無線フレームを送信する機能を有しない。
【００５２】
メイン装置１４は、例えば、７Ｗの電力を電源１５から受け、その受けた電力によって駆動される。
【００５３】
メイン装置１４は、起動状態であるとき、アンテナ１１を介して端末装置２と無線通信を行い、有線ケーブル２０を介して他の通信装置と通信を行う。
【００５４】
また、メイン装置１４は、一定の期間Ｔ１、端末装置２と無線通信を行わなかったとき、または無線基地局１に帰属する端末装置が存在しないとき、起動状態からスリープ状態へ移行する。なお、一定の期間Ｔ１は、例えば、数十秒に設定される。
【００５５】
更に、メイン装置１４は、スリープ状態にあるときに、ウェイクアップ信号受信機１３から起動信号を受けると、スリープ状態から起動状態へ移行する。
【００５６】
電源１５は、１００μＷの電力をウェイクアップ信号受信機１３へ供給し、７Ｗの電力をメイン装置１４へ供給する。
【００５７】
切替器１２は、スイッチ１２１と、端子１２２，１２３とを含む。メイン装置１４は、無線通信モジュール１４１と、有線通信モジュール１４２と、ホストシステム１４３とを含む。
【００５８】
スイッチ１２１は、アンテナ１１に接続される。端子１２２は、ウェイクアップ信号受信機１３に接続される。端子１２３は、無線通信モジュール１４１に接続される。
【００５９】
スイッチ１２１は、メイン装置１４のホストシステム１４３から制御信号ＣＴＬを受ける。そして、スイッチ１２１は、その制御信号ＣＴＬによってアンテナ１１を端子１２２または端子１２３に接続する。
【００６０】
この場合、制御信号ＣＴＬは、Ｌ（論理ロー）レベルの信号、またはＨ（論理ハイ）レベルの信号からなる。そして、スイッチ１２１は、制御信号ＣＴＬがＬレベルの信号からなる場合、アンテナ１１を端子１２２に接続し、制御信号ＣＴＬがＨレベルの信号からなる場合、アンテナ１１を端子１２３に接続する。
【００６１】
無線通信モジュール１４１は、ホストシステム１４３からコマンド信号ＣＯＭ１を受けると、起動状態からスリープ状態へ移行し、ホストシステム１４３からコマンド信号ＣＯＭ２を受けると、スリープ状態から起動状態へ移行する。なお、このスリープ状態は、無線通信モジュール１４１が動作を停止した状態である。
【００６２】
そして、無線通信モジュール１４１は、起動状態へ移行すると、無線基地局１が起動したことを端末装置２へ通知するための無線フレーム（起動通知）を生成し、その生成した無線フレーム（起動通知）を端末装置２へ送信する。
【００６３】
その後、無線通信モジュール１４１は、アンテナ１１を介してビーコンフレームＢｅａｃｏｎを定期的に送信し、端末装置２との間で無線通信リンクを確立する。そして、無線通信モジュール１４１は、端末装置２と無線通信を行う。この場合、無線通信モジュール１４１は、端末装置２から受信した無線フレームからデータを取り出してホストシステム１４３へ出力し、ホストシステム１４３から受けたデータを含む無線フレームを生成して端末装置２へ送信する。
【００６４】
有線通信モジュール１４２は、有線ケーブル２０を介して他の通信装置からデータを受信し、その受信したデータをホストシステム１４３へ出力する。
【００６５】
また、有線通信モジュール１４２は、ホストシステム１４３からデータを受け、その受けたデータを有線ケーブル２０を介して他の通信装置へ送信する。
【００６６】
更に、有線通信モジュール１４２は、ホストシステム１４３からコマンド信号ＣＯＭ１を受けると、起動状態からスリープ状態へ移行し、ホストシステム１４３からコマンド信号ＣＯＭ２を受けると、スリープ状態から起動状態へ移行する。なお、このスリープ状態は、有線通信モジュール１４２が動作を停止した状態である。
【００６７】
ホストシステム１４３は、一定の期間Ｔ１、端末装置２からの無線フレームを無線通信モジュール１４１を介して受けないとき、または通信範囲ＲＥＧ内に端末装置が存在しないとき、コマンド信号ＣＯＭ１を生成し、その生成したコマンド信号ＣＯＭ１を無線通信モジュール１４１および有線通信モジュール１４２へ出力するとともに、Ｌレベルの制御信号ＣＴＬを生成して切替器１２へ出力する。そして、ホストシステム１４３は、スリープ状態（＝停止状態）へ移行する。
【００６８】
また、ホストシステム１４３は、ウェイクアップ信号受信機１３から起動信号を受けると、スリープ状態から起動状態へ移行する。そして、ホストシステム１４３は、コマンド信号ＣＯＭ２を生成し、その生成したコマンド信号ＣＯＭ２を無線通信モジュール１４１および有線通信モジュール１４２へ出力するとともに、Ｈレベルの制御信号ＣＴＬを生成して切替器１２へ出力する。
【００６９】
更に、ホストシステム１４３は、無線通信モジュール１４１からデータを受けると、その受けたデータを有線通信モジュール１４２へ出力する。
【００７０】
更に、ホストシステム１４３は、有線通信モジュール１４２からデータを受けると、その受けたデータを無線通信モジュール１４１へ出力する。
【００７１】
更に、ホストシステム１４３は、通信範囲ＲＥＧ内に存在する端末装置を管理する。
【００７２】
図３は、図２に示すウェイクアップ信号受信機１３の構成図である。図３を参照して、ウェイクアップ信号受信機１３は、ＢＰＦ（Ｂａｎｄ  Ｐａｓｓ  Ｆｉｌｔｅｒ）１３１と、包絡線検波器１３２と、ビット判定器１３３と、フレーム長検出器１３４と、ＩＤ識別器１３５とを含む。
【００７３】
ＢＰＦ１３１は、アンテナ１１および切替器１２を介して電波を受信し、その受信した受信電波から５ＧＨｚ帯の周波数（５ＧＨｚ帯における全てのチャネルの周波数）を有する信号を抽出する。そして、ＢＰＦ１３１は、その抽出した信号を包絡線検波器１３２へ出力する。
【００７４】
包絡線検波器１３２は、ＢＰＦ１３１から受けた信号（＝無線フレーム）を一定周期（例えば、１０μｓ）ごとに包絡線検波し、その検波した検波信号をビット判定器１３３へ出力する。
【００７５】
ビット判定器１３３は、包絡線検波器１３２から受けた検波信号を“０”または“１”のビット値に変換し、その変換後のビット列をフレーム長検出器１３４へ出力する。
【００７６】
フレーム長検出器１３４は、ビット判定器１３３から受けたビット列に基づいて無線フレームのフレーム長を検出する。より具体的には、フレーム長検出器１３４は、“１”のビット値の個数を累計し、“０”のビット値が入力されれば、累計値をＩＤ識別器１３５へ出力するとともに、累計値をリセットする。
【００７７】
ＩＤ識別器１３５は、累計値をフレーム長検出器１３４から受け、その受けた累計値を後述する方法によってビット列に変換する。そして、ＩＤ識別器１３５は、その変換したビット列を保持する。
【００７８】
そうすると、ＩＤ識別器１３５は、保持したビット列が無線基地局１の識別情報（ＩＤ）に一致するとき、起動信号を生成してホストシステム１４３へ出力する。
【００７９】
なお、ＩＤ識別器１３５は、保持したビット列のビット長がウェイクアップＩＤの長さを超える場合、ビット列のうち、最も古いビット値から順に破棄する。
【００８０】
また、ＩＤ識別器１３５は、保持したビット列が無線基地局１の識別情報（ＩＤ）に一致しないとき、その保持したビット列を破棄する。
【００８１】
図４は、図１に示す端末装置２の実施の形態１における構成図である。図４を参照して、端末装置２は、アンテナ２１と、無線通信モジュール２２と、ホストシステム２３と、選択手段２４とを含む。ホストシステム２３は、ウェイクアップ信号生成部２３１を含む。
【００８２】
無線通信モジュール２２は、アンテナ２１を介して無線基地局１から起動通知を受信すると、無線基地局１との間で無線通信リンクを確立し、無線基地局１との間で無線通信を行う。
【００８３】
この場合、無線通信モジュール２２は、アンテナ２１を介して無線基地局１から無線フレームを受信し、その受信した無線フレームを復調してデータを取り出し、その取り出したデータをホストシステム２３へ出力する。また、無線通信モジュール２２は、ホストシステム２３からデータを受け、その受けたデータを含む無線フレームを生成し、その生成した無線フレームを無線ＬＡＮによる変調方式によって変調し、その変調した無線フレームをアンテナ２１を介して無線基地局１へ送信する。
【００８４】
無線通信モジュール２２は、無線通信システム１０における通信帯域内の全ての通信チャネルにおいて、キャリアセンスを行い、そのキャリアセンスの結果を選択手段２４へ出力する。
【００８５】
無線通信モジュール２２は、ホストシステム２３のウェイクアップ信号生成部２３１からペイロードおよび伝送レートの少なくとも１つを受け、その受けたペイロードを含む無線フレームを５ＧＨｚ帯の周波数帯域で生成する。また、無線通信モジュール２２は、選択手段２４からチャネルリストを受ける。そして、無線通信モジュール２２は、その受けたチャネルリストによって示されたチャネルを用いて、無線フレームをウェイクアップ信号生成部２３１から受けた伝送レートによって無線基地局１へ送信する。
【００８６】
ホストシステム２３は、無線通信モジュール２２がアンテナ２１を介して受信したビーコンフレームＢｅａｃｏｎを無線通信モジュール２２から受ける。そして、ホストシステム２３は、その受けたビーコンフレームＢｅａｃｏｎに含まれるＥＳＳＩＤまたはＢＳＳＩＤを取り出して管理するとともに、ＥＳＳＩＤまたはＢＳＳＩＤに基づいて、端末装置２が帰属する無線基地局１を管理する。
【００８７】
また、ホストシステム２３は、無線基地局１からビーコンフレームＢｅａｃｏｎを受信しないとき、無線基地局１がスリープ状態であると判定し、コマンド信号ＣＯＭ３およびＥＳＳＩＤ（またはＢＳＳＩＤ）をウェイクアップ信号生成部２３１へ出力する。
【００８８】
更に、ホストシステム２３は、無線通信モジュール２２からデータを受けるとともに、データを生成して無線通信モジュール２２へ出力する。
【００８９】
ウェイクアップ信号生成部２３１は、コマンド信号ＣＯＭ３およびＥＳＳＩＤ（またはＢＳＳＩＤ）をホストシステム２３から受けると、ＥＳＳＩＤ、ＢＳＳＩＤ、およびそれらのハッシュ値のいずれかからなるウェイクアップＩＤを生成し、その生成したウェイクアップＩＤを後述する方法によってフレーム長Ｌに変換する。そして、ウェイクアップ信号生成部２３１は、所望の長さを有するペイロードを生成し、その生成したペイロードを含む無線フレームを送信したときの無線フレームの時間長がフレーム長Ｌになるように伝送レートを決定する。そうすると、ウェイクアップ信号生成部２３１は、ペイロードと伝送レートとを無線通信モジュール２２へ出力する。なお、ウェイクアップＩＤは、端末装置２が起動させる無線基地局１を示す情報である。
【００９０】
選択手段２４は、無線通信モジュール２２から各通信チャネルにおけるキャリアセンスの結果を受け、その受けたキャリアセンスの結果に基づいて、後述する方法によってウェイクアップ信号の送信に用いる通信チャネルを選択する。そして、選択手段２４は、その選択した通信チャネルを示すチャネルリストを生成し、その生成したチャネルリストを無線通信モジュール２２へ出力する。
【００９１】
図５は、ビット列と無線フレームの時間長であるフレーム長Ｌとの変換表を示す図である。図５を参照して、変換表ＴＢＬ１は、ビット列とフレーム長とを含む。ビット列およびフレーム長は、相互に対応付けられる。
【００９２】
２３０μｓのフレーム長Ｌは、“００００００”のビット列に対応付けられる。２６０（μｓ）のフレーム長Ｌは、“０００００１”のビット列に対応付けられる。２９０（μｓ）のフレーム長Ｌは、“００００１０”のビット列に対応付けられる。以下、同様にして、２１２０（μｓ）のフレーム長Ｌは、“１１１１１０”のビット列に対応付けられ、２１５０（μｓ）のフレーム長Ｌは、“１１１１１１”のビット列に対応付けられる。そして、“００００００”等のビット列は、ウェイクアップＩＤである。即ち、“００００００”等のビット列は、ウェイクアップさせたい無線基地局１の識別情報である。
【００９３】
ウェイクアップ信号生成部２３１は、変換表ＴＢＬ１を保持している。そして、ウェイクアップ信号生成部２３１は、“００００００”からなるウェイクアップＩＤに対して、変換表ＴＢＬ１を参照してフレーム長Ｌ＝２３０（μｓ）を割り当てる。
【００９４】
そうすると、ウェイクアップ信号生成部２３１は、フレーム長がＬ＝２３０（μｓ）に最も近くなるようにペイロードサイズを決定し、その決定したペイロードサイズを有するペイロードを生成し、その生成したペイロードを無線通信モジュール２２へ出力する。そして、無線通信モジュール２２は、ウェイクアップ信号生成部２３１からペイロードを受け、その受けたペイロードを含む無線フレームを５ＧＨｚ帯の周波数帯域で生成し、その生成した無線フレームをチャネルリストによって示された通信チャネルを用いて無線基地局１へ送信する。
【００９５】
また、ウェイクアップ信号生成部２３１は、“００００００”からなるウェイクアップＩＤにフレーム長Ｌ＝２３０（μｓ）を割り当てると、“００００００”からなるウェイクアップＩＤを含む無線フレームの時間長が２３０（μｓ）になるように送信するための伝送レートを決定し、その決定した伝送レートと“００００００”からなるウェイクアップＩＤとを無線通信モジュール２２へ出力する。無線通信モジュール２２は、“００００００”からなるウェイクアップＩＤと、伝送レートとをウェイクアップ信号生成部２３１から受ける。そして、無線通信モジュール２２は、“００００００”からなるウェイクアップＩＤを含む無線フレームを５ＧＨｚ帯の周波数帯域で生成し、チャネルリストによって示された通信チャネルを用いて、その生成した無線フレームをウェイクアップ信号生成部２３１から受けた伝送レートで無線基地局１へ送信する。
【００９６】
更に、ウェイクアップ信号生成部２３１は、“００００００”からなるウェイクアップＩＤにフレーム長Ｌ＝２３０（μｓ）を割り当てると、フレーム長がＬ＝２３０（μｓ）に最も近くなるようにペイロードサイズを決定し、その決定したペイロードサイズを有するペイロードを生成する。また、ウェイクアップ信号生成部２３１は、その生成したペイロードを含む無線フレームの時間長が２３０（μｓ）になるように送信するための伝送レートを決定する。そして、ウェイクアップ信号生成部２３１は、その生成したペイロードと、その決定した伝送レートとを無線通信モジュール２２へ出力する。
【００９７】
無線通信モジュール２２は、ペイロードおよび伝送レートをウェイクアップ信号生成部２３１から受け、その受けたペイロードを含む無線フレームを５ＧＨｚ帯の周波数帯域で生成する。そして、無線通信モジュール２２は、チャネルリストによって示された通信チャネルを用いて、その生成した無線フレームをウェイクアップ信号生成部２３１から受けた伝送レートで無線基地局１へ送信する。
【００９８】
このように、無線通信モジュール２２は、フレーム長がＬ＝２３０（μｓ）になるようにペイロードサイズおよび伝送レートの少なくとも一方を制御し、その制御したペイロードサイズおよび伝送レートの少なくとも一方を用いて無線フレームを無線基地局１へ送信する。その結果、無線通信モジュール２２を変更することなく、ウェイクアップ信号生成部２３１を追加するだけで、端末装置２は、無線基地局１をウェイクアップさせることができる。
【００９９】
なお、ペイロードとなるデータの中身は、乱数値でもよいし、特定の値に設定されてもよい。
【０１００】
ウェイクアップ信号生成部２３１は、“０００００１”等からなるウェイクアップＩＤに対しても、同様にしてペイロードおよび／または伝送レートを無線通信モジュール２２へ出力する。
【０１０１】
変換表ＴＢＬ１において、フレーム長Ｌが３０μｓごとに区切られているのは、無線基地局１のウェイクアップ信号受信機１３のクロック周波数を低くし、ウェイクアップ信号受信機１３が無線フレームの切れ目を識別できるようにするためである。
【０１０２】
上述したように、実施の形態１においては、端末装置２は、ウェイクアップＩＤをフレーム長によって表した無線フレームを無線基地局１へ送信する。
【０１０３】
この場合、無線フレームは、Ｐｒｏｂｅ  Ｒｅｑｕｅｓｔ等の管理フレーム、またはブロードキャストのデータフレーム、またはウェイクアップさせる無線基地局１以外の無線基地局や端末装置２以外の他の端末装置へ送信すべきデータフレームからなる。
【０１０４】
無線フレームがデータフレームからなる場合、ウェイクアップ信号生成部２３１は、データフレームの伝送レートおよびフラグメンテーションを調整し、ウェイクアップＩＤに対応するフレーム長Ｌを有する無線フレームを無線通信モジュール２２およびアンテナ２１を介して無線基地局１へ送信する。
【０１０５】
そして、ウェイクアップさせる無線基地局１以外の無線基地局へ送信すべきデータフレームを用いてウェイクアップＩＤを送信する場合、端末装置２がハンドオーバーされる場合に適している。
【０１０６】
図６は、包絡線検波およびビット判定の概念図である。図６を参照して、ウェイクアップ信号受信機１３の包絡線検波器１３２は、無線フレームＦＲをＢＰＦ１３１から受ける。無線フレームＦＲは、例えば、２３０（μｓ）のフレーム長Ｌを有する（（ａ）参照）。
【０１０７】
包絡線検波器１３２は、無線フレームＦＲの包絡線ＥＶＬを検出し、その検出した包絡線ＥＶＬを１０（μｓ）毎に検波し、検波値Ｉ１〜Ｉ２４を検出する（（ｂ）参照）。
【０１０８】
そして、包絡線検波器１３２は、検波値Ｉ１〜Ｉ２４をビット判定器１３３へ出力する。ビット判定器１３３は、検波値Ｉ１〜Ｉ２４をビット判定し、“１１１・・・１１１０”のビット列を得る。そして、ビット判定器１３３は、“１１１・・・１１１０”のビット列をフレーム長検出器１３４へ出力する。
【０１０９】
フレーム長検出器１３４は、“１１１・・・１１１０”のビット列の先頭から“１”のビット値の個数を累積し、“２３”の累積値を検出する。そして、フレーム長検出器１３４は、２４個目のビット値が“０”であるので、“２３”の累積値をＩＤ識別器１３５へ出力するとともに、累積値をリセットする。
【０１１０】
図７は、累積値とビット列との変換表を示す図である。図７を参照して、変換表ＴＢＬ２は、累積値とビット列とを含む。累積値およびビット列は、相互に対応付けられる。
【０１１１】
“００００００”のビット列は、２２≦ｃ≦２４の累積値ｃに対応付けられる。“０００００１”のビット列は、２５≦ｃ≦２７の累積値ｃに対応付けられる。“００００１０”のビット列は、２８≦ｃ≦３０の累積値ｃに対応付けられる。以下、同様にして、“１１１１１０”のビット列は、２１１≦ｃ≦２１３の累積値ｃに対応付けられ、“１１１１１１”のビット列は、２１４≦ｃ≦２１６の累積値に対応付けられる。
【０１１２】
ＩＤ識別器１３５は、変換表ＴＢＬ２を保持している。そして、ＩＤ識別器１３５は、フレーム長検出器１３４から２３の累積値ｃを受けると、変換表ＴＢＬ２を参照して“００００００”のビット列を検出する。
【０１１３】
そして、ＩＤ識別器１３５は、その検出した“００００００”のビット列が無線基地局１の識別情報（ＩＤ）に一致する場合、起動信号を生成してメイン装置１４へ出力する。
【０１１４】
図８は、実施の形態１におけるチャネルボンディングの概念図である。図８の（ａ）を参照して、無線基地局１および端末装置２が無線通信に用いる通信帯域には、チャネルＣｈ１〜Ｃｈｍ（ｍは２以上の整数）が存在する。チャネルＣｈ１〜Ｃｈｍは、それぞれ、中心周波数ｆ１〜ｆｍを有する。また、チャネルＣｈ１〜Ｃｈｍの各々は、一定の帯域幅を有する。
【０１１５】
ＩＥＥＥ８０２．１１ａｃにおいては、Ｃｈ３６，Ｃｈ４０，Ｃｈ４４，Ｃｈ４８，Ｃｈ５２，Ｃｈ５６，Ｃｈ６０，Ｃｈ６４，Ｃｈ１００，Ｃｈ１０４，Ｃｈ１０８，Ｃｈ１１２，Ｃｈ１１６，Ｃｈ１２０，Ｃｈ１２４，Ｃｈ１２８，Ｃｈ１３２，Ｃｈ１３６，Ｃｈ１４０のチャネルが存在する。そして、チャネルＣｈ３６，Ｃｈ４０，Ｃｈ４４，Ｃｈ４８，Ｃｈ５２，Ｃｈ５６，Ｃｈ６０，Ｃｈ６４，Ｃｈ１００，Ｃｈ１０４，Ｃｈ１０８，Ｃｈ１１２，Ｃｈ１１６，Ｃｈ１２０，Ｃｈ１２４，Ｃｈ１２８，Ｃｈ１３２，Ｃｈ１３６，Ｃｈ１４０は、それぞれ、５．１８ＧＨｚ，５．２０ＧＨｚ，５．２２ＧＨｚ，５．２４ＧＨｚ，５．２６ＧＨｚ，５．２８ＧＨｚ，５．３０ＧＨｚ，５．３２ＧＨｚ，５．５０ＧＨｚ，５．５２ＧＨｚ，５．５４ＧＨｚ，５．５６ＧＨｚ，５．５８ＧＨｚ，５．６０ＧＨｚ，５．６２ＧＨｚ，５．６４ＧＨｚ，５．６６ＧＨｚ，５．６８ＧＨｚ，５．７０ＧＨｚの中心周波数を有する。そして、これらのチャネルＣｈ３６〜Ｃｈ１４０の各々は、２０ＭＨｚの帯域幅を有する。
【０１１６】
実施の形態１においては、端末装置２の無線通信モジュール２２は、チャネルＣｈ１〜Ｃｈｍの全てに干渉が無いとき、チャネルＣｈ１〜Ｃｈｍをチャネルボンディングしてウェイクアップ信号（＝ウェイクアップＩＤを表すフレーム長を有する無線フレーム）を送信する。
【０１１７】
より具体的には、無線通信モジュール２２は、チャネルボンディングの指示信号と、チャネルＣｈ１〜Ｃｈｍの全てを示すチャネルリストとを選択手段２４から受ける。そして、無線通信モジュール２２は、チャネルボンディングの指示信号と、チャネルＣｈ１〜Ｃｈｍの全てを示すチャネルリストとに基づいて、ウェイクアップ信号生成部２３１から受けたペイロードを含む無線フレームをチャネルＣｈ１〜Ｃｈｍのｍ個の周波数帯域の全てを含む周波数帯域ｆ＿ＢＤで生成し、その生成した無線フレームをウェイクアップ信号生成部２３１から受けた伝送レートで送信する。
【０１１８】
即ち、無線通信モジュール２２は、チャネルＣｈ１〜ＣｈｍをボンディングしたボンディングチャネルＣｈ＿ＢＤでペイロードを含む無線フレームを生成し、その生成した無線フレームをウェイクアップ信号生成部２３１から受けた伝送レートで送信する。
【０１１９】
また、端末装置２の無線通信モジュール２２は、ＣＳＭＡ／ＣＡ（Carrier Sense Multiple Access with Collision Avoidance）に従ってウェイクアップ信号（無線フレーム）を送信する。このＣＳＭＡ／ＣＡは、無線通信空間をキャリアセンスし、無線通信空間が空いているとき信号を送信し、無線通信空間が空いていないとき信号を送信しない無線通信方式である。
【０１２０】
より具体的には、無線通信モジュール２２は、チャネルＣｈ１〜Ｃｈｍのうちの任意の１つのチャネルをプライマリチャネルＣｈ＿ｐｒｉｍａｒｙとして固定し、プライマリチャネルＣｈ＿ｐｒｉｍａｒｙでＤＩＦＳ（Distributed Inter Frame Space）の期間にキャリアセンスを行い、無線通信空間が空いているとき、バックオフが経過するまで待機する。
【０１２１】
その後、無線通信モジュール２２は、プライマリチャネルＣｈ＿ｐｒｉｍａｒｙ以外のセカンダリチャネルＣｈ＿ｓｅｃｏｎｄａｒｙ（チャネルＣｈ１〜ＣｈｍのうちのプライマリチャネルＣｈ＿ｐｒｉ以外の１つのチャネル）でＰＩＦＳ（Point Coordination Function Inter Frame Space）の期間にキャリアセンスを行い、無線通信空間が空いているか否かを判定する。無線通信モジュール２２は、この処理を全てのセカンダリチャネルＣｈ＿ｓｅｃｏｎｄａｒｙについて実行する。
【０１２２】
そして、無線通信モジュール２２は、プライマリチャネルＣｈ＿ｐｒｉｍａｒｙおよび全てのセカンダリチャネルＣｈ＿ｓｅｃｏｎｄａｒｙにおけるキャリアセンスの結果を選択手段２４へ出力する。選択手段２４は、キャリアセンスの結果に基づいて、プライマリチャネルＣｈ＿ｐｒｉｍａｒｙおよび全てのセカンダリチャネルＣｈ＿ｓｅｃｏｎｄａｒｙが開いていると判定したとき、即ち、チャネルＣｈ１〜Ｃｈｍの全てが空いていると判定したとき、チャネルボンディングの指示信号と、チャネルＣｈ１〜Ｃｈｍの全てを示すチャネルリストとを無線通信モジュール２２へ出力する。
【０１２３】
無線通信モジュール２２は、選択手段２４からのチャネルボンディングの指示信号と、チャネルＣｈ１〜Ｃｈｍの全てを示すチャネルリストとに基づいて、ウェイクアップ信号をチャネルＣｈ１〜Ｃｈｍの全てを用いたチャネルボンディングで送信する。
【０１２４】
なお、選択手段２４は、プライマリチャネルＣｈ＿ｐｒｉが空いていないとき、またはセカンダリチャネルＣｈ＿ｓｅｃｏｎｄａｒｙのすくなくとも１つが空いていないとき、チャネルリストを無線通信モジュール２２へ出力しない。従って、無線通信モジュール２２は、ウェイクアップ信号の送信を待機する。
【０１２５】
図９は、図１に示す無線通信システム１０における動作を説明するための実施の形態１におけるフローチャートである。
【０１２６】
図９を参照して、一連の動作が開始されると、無線基地局１のホストシステム１４３は、スリープ状態へ移行するか否かを判定する（ステップＳ１）。より具体的には、無線基地局１のホストシステム１４３は、一定の期間Ｔ１、端末装置２との間で無線通信が行われていないとき、または無線基地局１に帰属する端末装置が存在しないとき、またはスケジューリング等の他の何らかの判断アルゴリズムによる判断があるとき、スリープ状態へ移行すると判定する。また、無線基地局１のホストシステム１４３は、一定の期間Ｔ１内に、端末装置２との間で無線通信が行われているとき、または無線基地局１に帰属する端末装置が存在するとき、スリープ状態へ移行しないと判定する。
【０１２７】
ステップＳ１において、スリープ状態へ移行すると判定されたとき、無線基地局１のホストシステム１４３は、コマンド信号ＣＯＭ１を生成して無線通信モジュール１４１および有線通信モジュール１４２へ出力するとともに、Ｌレベルの信号からなる制御信号ＣＴＬを生成して切替器１２へ出力し、自己の動作を停止する。そして、無線基地局１の切替器１２は、Ｌレベルの制御信号ＣＴＬに応じてアンテナ１１を端子１２２に接続する。また、無線基地局１の無線通信モジュール１４１および有線通信モジュール１４２は、コマンド信号ＣＯＭ１に応じて、動作を停止する。即ち、ステップＳ１において、スリープ状態へ移行すると判定されたとき、メイン装置１４が停止する（ステップＳ２）。
【０１２８】
そして、ウェイクアップ信号受信機１３は、ウェイクアップ信号を待ち受ける（ステップＳ３）。
【０１２９】
その後、端末装置２のホストシステム２３は、無線基地局１からビーコンフレームＢｅａｃｏｎを受信しないことを検知する（ステップＳ４）。即ち、端末装置２のホストシステム２３は、無線基地局１がスリープ状態であることを検知する。そして、端末装置２のホストシステム２３は、無線通信を開始するか否かを判定する（ステップＳ５）。
【０１３０】
ステップＳ５において、無線通信を開始すると判定されたとき、端末装置２のホストシステム２３は、起動させたい無線基地局１のＥＳＳＩＤ（またはＢＳＳＩＤ）とコマンド信号ＣＯＭ３とをウェイクアップ信号生成部２３１へ出力する。そして、端末装置２のウェイクアップ信号生成部２３１は、コマンド信号ＣＯＭ３を受けると、ＥＳＳＩＤ（またはＢＳＳＩＤ）に基づいて、上述した方法によってウェイクアップＩＤを生成する。即ち、端末装置２は、起動させたい無線基地局１を示すウェイクアップＩＤを生成する（ステップＳ６）。
【０１３１】
そして、端末装置２のウェイクアップ信号生成部２３１は、変換表ＴＢＬ１を参照して、その生成したウェイクアップＩＤをフレーム長に変換し、その変換したフレーム長を有する無線フレームを生成するために必要なペイロードサイズと伝送レートとを算出し、その算出したペイロードサイズを有するペイロードを生成し、その生成したペイロードと、算出した伝送レートとを無線通信モジュール２２へ出力する。
【０１３２】
端末装置２の無線通信モジュール２２は、ウェイクアップ信号生成部２３１から受けたペイロードを含む無線フレームＦＲを無線通信帯域の全帯域で生成する（ステップＳ７）。
【０１３３】
その後、端末装置２の無線通信モジュール２２は、ＤＩＦＳの期間、プライマリチャネルＣｈ＿ｐｒｉｍａｒｙでキャリアセンスし、キャリアセンスの結果を選択手段２４へ出力する。そして、端末装置２の選択手段２４は、キャリアセンスの結果に基づいて、プライマリチャネルＣｈ＿ｐｒｉｍａｒｙに干渉が無いか否かを判定する（ステップＳ８）。
【０１３４】
この場合、選択手段２４は、キャリアセンスの結果、プライマリチャネルＣｈ＿ｐｒｉｍａｒｙが空いている場合、プライマリチャネルＣｈ＿ｐｒｉｍａｒｙに干渉が無いと判定し、プライマリチャネルＣｈ＿ｐｒｉｍａｒｙが空いていない場合、プライマリチャネルＣｈ＿ｐｒｉｍａｒｙに干渉が有ると判定する。
【０１３５】
ステップＳ８において、プライマリチャネルＣｈ＿ｐｒｉｍａｒｙに干渉が有ると判定されたとき、一連の動作は、終了する。
【０１３６】
一方、ステップＳ８において、プライマリチャネルＣｈ＿ｐｒｉｍａｒｙに干渉が無いと判定されたとき、端末装置２の選択手段２４は、プライマリチャネルＣｈ＿ｐｒｉｍａｒｙに干渉が無いことを示す信号ＩＴＦ＿ＮＯを無線通信モジュール２２へ出力し、無線通信モジュール２２は、信号ＩＴＦ＿ＮＯに基づいて、プライマリチャネルＣｈ＿ｐｒｉｍａｒｙでバックオフを行う（ステップＳ９）。
【０１３７】
その後、端末装置２の無線通信モジュール２２は、ＰＩＦＳの期間、キャリアセンスを行い、キャリアセンスの結果を選択手段２４へ出力する。端末装置２の選択手段２４は、ステップＳ８における方法と同じ方法によって、キャリアセンスの結果に基づいて、セカンダリチャネルＣｈ＿ｓｅｃｏｎｄａｒｙの全てに干渉が無いか否かを判定する（ステップＳ１０）。
【０１３８】
ステップＳ１０において、セカンダリチャネルＣｈ＿ｓｅｃｏｎｄａｒｙの少なくとも１つに干渉が有ると判定されたとき、一連の動作は、ステップＳ９へ戻り、端末装置２の無線通信モジュール２２は、プライマリチャネルＣｈ＿ｐｒｉｍａｒｙでバックオフを行う。
【０１３９】
一方、ステップＳ１０において、セカンダリチャネルＣｈ＿ｓｅｃｏｎｄａｒｙの全てに干渉が無いと判定されたとき、端末装置２の選択手段２４は、チャネルボンディングの指示信号と、チャネルＣｈ１〜Ｃｈｍを示すチャネルリストとを無線通信モジュール２２へ出力し、無線通信モジュール２２は、チャネルボンディングの指示信号と、チャネルＣｈ１〜Ｃｈｍを示すチャネルリストとに基づいて、チャネルＣｈ１〜Ｃｈｍを用いたチャネルボンディングによって、ウェイクアップ信号生成部２３１から受けた伝送レートで無線フレームＦＲをアンテナ２１を介して無線基地局１へ送信する（ステップＳ１１）。
【０１４０】
そうすると、無線基地局１のウェイクアップ信号受信機１３は、アンテナ１１を介して無線フレームＦＲを無線通信帯域の全帯域で受信し、その受信した無線フレームＦＲのフレーム長からウェイクアップＩＤを上述した方法によって検出する（ステップＳ１２）。
【０１４１】
そして、無線基地局１のウェイクアップ信号受信機１３は、その検出したウェイクアップＩＤが無線基地局１のＩＤに一致するか否かを判定する（ステップＳ１３）。
【０１４２】
ステップＳ１３において、ウェイクアップＩＤが無線基地局１のＩＤに一致しないと判定されたとき、一連の動作は、ステップＳ３へ戻る。
【０１４３】
一方、ステップＳ１３において、ウェイクアップＩＤが無線基地局１のＩＤに一致すると判定されたとき、無線基地局１のウェイクアップ信号受信機１３は、起動信号を生成してホストシステム１４３へ出力する。そして、無線基地局１のホストシステム１４３は、ウェイクアップ信号受信機１３からの起動信号に応じてスリープ状態から起動状態へ移行し、コマンド信号ＣＯＭ２を生成して無線通信モジュール１４１および有線通信モジュール１４２へ出力する。そして、無線基地局１の無線通信モジュール１４１および有線通信モジュール１４２は、コマンドＣＯＭ２に応じてスリープ状態から起動状態へ移行する。このように、無線基地局１のメイン装置１４は、ウェイクアップ信号受信機１３からの起動信号に応じて、スリープ状態から起動状態へ移行する（ステップＳ１４）。
【０１４４】
その後、無線基地局１は、端末装置２との間でリンクを確立し、端末装置２との間で無線通信を行う。
【０１４５】
なお、ステップＳ１１において、選択手段２４がチャネルボンディングの指示信号と、チャネルＣｈ１〜Ｃｈｍを示すチャネルリストとを無線通信モジュール２２へ出力することは、選択手段２４がチャネルボンディングを選択することに相当する。
【０１４６】
上述したように、実施の形態１においては、端末装置２は、チャネルＣｈ１〜Ｃｈｍの全てに干渉が無いとき、無線通信システム１０における無線通信帯域の全帯域を用いてウェイクアップ信号（＝無線フレームＦＲ）を無線基地局１へ送信する。即ち、端末装置２は、チャネルＣｈ１〜Ｃｈｍの全てに干渉が無いとき、チャネルボンディングを選択してウェイクアップ信号（＝無線フレームＦＲ）を無線基地局１へ送信する。
【０１４７】
その結果、端末装置２以外の端末装置は、端末装置２から送信されたウェイクアップ信号（＝無線フレームＦＲ）を検知して信号の送信を控えるので、ウェイクアップ信号の送信に用いたチャネルＣｈ１〜Ｃｈｍに干渉信号が入って来ない。
【０１４８】
従って、ウェイクアップ信号を正確に無線基地局１へ送信できる。そして、無線基地局１がウェイクアップ（スリープ状態から起動状態へ移行すること）に成功する確率を高くできる。
【０１４９】
従来、隣接チャネルからの干渉を低減する方法として、所定時間の送信停止を指示する送信停止指示パケットを全チャネルで送信して他のチャネルの送信を禁止する方法が提案されている（特許文献２）。この方法では、全チャネルでの送信停止指示パケットの送信とチャネル切り替えに伴い、大きな遅延が発生する。これに対し、実施の形態１では、プライマリチャネルＣｈ＿ｐｒｉｍａｒｙでのＤＩＦＳおよびバックオフ処理と、セカンダリチャネルＣｈ＿ｓｅｃｏｎｄａｒｙでのＰＩＦＳとが経過すれば、ウェイクアップ信号を送信するので、図９に示すウェイクアップ信号の送信方法は、特許文献２に開示された方法に比べ、低遅延でウェイクアップ信号を送信できる。
【０１５０】
また、実施の形態１においては、プライマリチャネルＣｈ＿ｐｒｉｍａｒｙまたはセカンダリチャネルＣｈ＿ｓｅｃｏｎｄａｒｙに干渉が有る場合、端末装置２は、ウェイクアップ信号を送信しないので、ウェイクアップに失敗する確率を低くできる。
【０１５１】
上記においては、無線フレームＦＲの時間長が、変換表ＴＢＬ１を参照してウェイクアップＩＤから変換されたフレーム長になるように、ペイロードサイズおよび伝送レートの少なくとも一方を制御すると説明したが、実施の形態１においては、単一チャネルにおける伝送レートＴＲ＿ｓｉｎｇｌｅを用いて送信したときの無線フレームの時間長がウェイクアップＩＤを表すフレーム長になるように、ペイロードサイズＬＰＡＹＲＯＡＤを決定し、その決定したペイロードサイズＬＰＡＹＲＯＡＤを有するペイロードＰＲＤを生成し、その生成したペイロードＰＲＤを含む無線フレームＦＲ＿ｃｏｎｓｔを生成し、その生成した無線フレームＦＲ＿ｃｏｎｓｔを伝送レートＴＲ＿ｓｉｎｇｌｅまたはチャネルボンディングしたときの伝送レートＴＲ＿ｃｈａｎｎｅｌ−ｂｏｎｄｉｎｇで送信してもよい。
【０１５２】
この場合、
ＴＲ＿ｃｈａｎｎｅｌ−ｂｏｎｄｉｎｇ＝ＴＲ＿ｓｉｎｇｌｅ×チャネル数
となる。
【０１５３】
ここで、チャネル数は、チャネルボンディングに用いたチャネル数である。
【０１５４】
例えば、ＴＲ＿ｓｉｎｇｌｅ＝２０Ｍｂｐｓであり、チャネルボンディングに用いたチャネル数が１０個である場合、ＴＲ＿ｃｈａｎｎｅｌ−ｂｏｎｄｉｎｇ＝２０Ｍｂｐｓ×１０＝２００Ｍｂｐｓとなる。
【０１５５】
そして、端末装置２の無線通信モジュール２２は、ペイロードＰＲＤをウェイクアップ信号生成部２３１から受けると、ペイロードＰＲＤを含む無線フレームＦＲ＿ｃｏｎｓｔを生成し、その生成した無線フレームＦＲ＿ｃｏｎｓｔを伝送レートＴＲ＿ｓｉｎｇｌｅまたは伝送レートＴＲ＿ｃｈａｎｎｅｌ−ｂｏｎｄｉｎｇで送信する。
【０１５６】
図１０は、累積値とビット列との別の変換表を示す図である。図１０を参照して、変換表ＴＢＬ３は、累積値とビット列とを含む。累積値およびビット列は、相互に対応付けられる。
【０１５７】
“００００００”のビット列は、（２２／Ｃｈ＿Ｎ）≦ｃ≦（２４／Ｃｈ＿Ｎ）の累積値ｃに対応付けられる。“０００００１”のビット列は、（２５／Ｃｈ＿Ｎ）≦ｃ≦（２７／Ｃｈ＿Ｎ）の累積値ｃに対応付けられる。“００００１０”のビット列は、（２８／Ｃｈ＿Ｎ）≦ｃ≦（３０／Ｃｈ＿Ｎ）の累積値ｃに対応付けられる。以下、同様にして、“１１１１１０”のビット列は、（２１１／Ｃｈ＿Ｎ）≦ｃ≦（２１３／Ｃｈ＿Ｎ）の累積値ｃに対応付けられ、“１１１１１１”のビット列は、（２１４／Ｃｈ＿Ｎ）≦ｃ≦（２１６／Ｃｈ＿Ｎ）の累積値に対応付けられる。
【０１５８】
ＩＤ識別器１３５は、変換表ＴＢＬ２に加え、変換表ＴＢＬ３を保持している。そして、ＩＤ識別器１３５は、フレーム長検出器１３４から（２２／Ｃｈ＿Ｎ）≦ｃ≦（２４／Ｃｈ＿Ｎ）を満たす累積値ｃを受けると、変換表ＴＢＬ３を参照して“００００００”のビット列を検出する。ＩＤ識別器１３５は、（２２／Ｃｈ＿Ｎ）≦ｃ≦（２４／Ｃｈ＿Ｎ）を満たす累積値ｃ以外の累積値ｃを受けた場合も、変換表ＴＢＬ３を参照してビット列を検出する。
【０１５９】
その後、ＩＤ識別器１３５は、上述した動作と同じ動作を行う。
【０１６０】
無線フレームＦＲ＿ｃｏｎｓｔを伝送レートＴＲ＿ｓｉｎｇｌｅで送信した場合、無線フレームが２３０μｓの時間長を有するとすると、無線フレームＦＲ＿ｃｏｎｓｔを伝送レートＴＲ＿ｃｈａｎｎｅｌ−ｂｏｎｄｉｎｇで送信した場合、無線フレームＦＲ＿ｃｏｎｓｔは、２３０μｓ／１０＝２３μｓの時間長を有する。
【０１６１】
そして、端末装置２の無線通信モジュール２２は、伝送レートＴＲ＿ｓｉｎｇｌｅおよび伝送レートＴＲ＿ｃｈａｎｎｅｌ−ｂｏｎｄｉｎｇのうちの一方を任意に選択し、その選択した伝送レートで無線フレームＦＲ＿ｃｏｎｓｔを送信する。
【０１６２】
無線基地局１のウェイクアップ信号受信機１３は、端末装置２の無線通信モジュール２２が伝送レートＴＲ＿ｓｉｎｇｌｅおよび伝送レートＴＲ＿ｃｈａｎｎｅｌ−ｂｏｎｄｉｎｇのいずれの伝送レートで無線フレームＦＲ＿ｃｏｎｓｔを送信したかを知らないので、受信した電波を上述した方法によって処理して累積値ｃを検出し、その検出した累積値ｃが変換表ＴＢＬ２または変換表ＴＢＬ３に含まれるか否かを判定する。
【０１６３】
累積値ｃが変換表ＴＢＬ２または変換表ＴＢＬ３に含まれると判定されたとき、無線基地局１のウェイクアップ信号受信機１３は、変換表ＴＢＬ２または変換表ＴＢＬ３を参照して、累積値ｃをビット列に変換する。その後、ウェイクアップ信号受信機１３は、ビット列が無線基地局１の識別情報に一致する場合、起動信号を生成してホストシステム１４３へ出力する。
【０１６４】
図１１は、図１に示す無線通信システム１０における別の動作を説明するための実施の形態１におけるフローチャートである。
【０１６５】
図１１に示すフローチャートは、図９に示すフローチャートのステップＳ７〜Ｓ１１をステップＳ７Ａ，Ｓ８Ａ，Ｓ９Ａ，Ｓ１０Ａに代え、ステップＳ１２をステップＳ１２Ａ，Ｓ１２Ｂに代えたものであり、その他は、図９に示すフローチャートと同じである。
【０１６６】
図１１を参照して、一連の動作が開始されると、無線基地局１は、上述したステップＳ１〜ステップＳ３を順次実行する。
【０１６７】
そして、端末装置２は、上述したステップＳ４〜ステップＳ６を順次実行する。その後、端末装置２のウェイクアップ信号生成部２３１は、単一チャネルにおける伝送レートＴＲ＿ｓｉｎｇｌｅを用いて送信したときの無線フレームの時間長がウェイクアップＩＤを表すフレーム長（＝変換表ＴＢＬ１に含まれるフレーム長）になるように、ペイロードサイズＬＰＡＹＲＯＡＤを決定する（ステップＳ７Ａ）。
【０１６８】
そして、ウェイクアップ信号生成部２３１は、その決定したペイロードサイズＬＰＡＹＲＯＡＤを有するペイロードＰＲＤを生成し（ステップＳ８Ａ）、その生成したペイロードＰＲＤを無線通信モジュール２２へ出力する。
【０１６９】
端末装置２の無線通信モジュール２２は、ウェイクアップ信号生成部２３１からペイロードＰＲＤを受ける。そして、無線通信モジュール２２は、単一チャネルの周波数帯域でペイロードＰＲＤを含む無線フレームを生成し、またはチャネルＣｈ１〜Ｃｈｍの全ての周波数帯域でペイロードＰＲＤを含む無線フレームを生成する（ステップＳ９Ａ）。
【０１７０】
その後、選択手段２４は、チャネルＣｈ１〜Ｃｈｍの全てに干渉が無いと判定すると、チャネルＣｈ１〜Ｃｈｍを示すチャネルリストを無線通信モジュール２２へ出力し、無線通信モジュール２２は、チャネルＣｈ１〜Ｃｈｍを示すチャネルリストに基づいて、ステップＳ９Ａにおいて生成した無線フレームを伝送レートＴＲ＿ｓｉｎｇｌｅまたはチャネルボンディングしたときの伝送レートＴＲ＿ｃｈａｎｎｅｌ−ｂｏｎｄｉｎｇで送信する（ステップＳ１０Ａ）。
【０１７１】
この場合、無線通信モジュール２２および選択手段２４は、図９に示すステップＳ７〜Ｓ１０に従って、チャネルＣｈ１〜Ｃｈｍの全てに干渉が無いことを検出する。
【０１７２】
そうすると、無線基地局１のウェイクアップ信号受信機１３は、無線フレームを無線通信帯域の全帯域で受信し、その受信した受信電波に基づいて、上述した方法によって累積値ｃを検出する（ステップＳ１２Ａ）。
【０１７３】
そして、ウェイクアップ信号受信機１３は、検出した累積値ｃが変換表ＴＢＬ２または変換表ＴＢＬ３に含まれるか否かを判定する（ステップＳ１２Ｂ）。
【０１７４】
ステップＳ１２Ｂにおいて、検出した累積値ｃが変換表ＴＢＬ２または変換表ＴＢＬ３に含まれないと判定されたとき、一連の動作は、ステップＳ３へ戻る。
【０１７５】
一方、ステップＳ１２Ｂにおいて、検出した累積値ｃが変換表ＴＢＬ２または変換表ＴＢＬ３に含まれると判定されたとき、ウェイクアップ信号受信機１３は、ステップＳ１２Ａにおいて検出した累積値ｃを変換表ＴＢＬ２または変換表ＴＢＬ３を参照してビット列（＝ウェイクアップＩＤ）に変換し、その後、上述したステップＳ１３，Ｓ１４を順次実行する。これにより、一連の動作が終了する。
【０１７６】
上述したように、包絡線検波における一定周期を累積値ｃに乗算すると、フレーム長が得られるので、ステップＳ１２Ｂにおいて、検出した累積値ｃが変換表ＴＢＬ２または変換表ＴＢＬ３に含まれるか否かを判定することは、包絡線検波における一定周期を累積値ｃに乗算して得られたフレーム長が伝送レートＴＲ＿ｓｉｎｇｌｅで送信したときの無線フレームの時間長または伝送レートＴＲ＿ｃｈａｎｎｅｌ−ｂｏｎｄｉｎｇで送信したときの無線フレームの時間長に一致するか否かを判定することに等しい。
【０１７７】
図１１に示すフローチャートにおいて説明したように、端末装置２は、一定の長さのペイロードサイズＬＰＡＹＲＯＡＤを有するペイロードＰＲＤを含む無線フレームを伝送レートＴＲ＿ｓｉｎｇｌｅまたは伝送レートＴＲ＿ｃｈａｎｎｅｌ−ｂｏｎｄｉｎｇで送信する（ステップＳ１０Ａ参照）。その結果、無線フレームは、伝送レートＴＲ＿ｓｉｎｇｌｅで送信されたとき、変換表ＴＢＬ１に含まれるフレーム長Ｌを有し、伝送レートＴＲ＿ｃｈａｎｎｅｌ−ｂｏｎｄｉｎｇで送信されたとき、フレーム長（＝Ｌ／チャネル数）を有する。
【０１７８】
無線基地局１のウェイクアップ信号受信機１３は、端末装置２が伝送レートＴＲ＿ｓｉｎｇｌｅおよび伝送レートＴＲ＿ｃｈａｎｎｅｌ−ｂｏｎｄｉｎｇのいずれで無線フレームを送信したのかを知らないので、検出した累積値ｃが変換表ＴＢＬ２または変換表ＴＢＬ３に含まれるか否かを判定し（ステップＳ１２Ｂ参照）、検出した累積値ｃが変換表ＴＢＬ２または変換表ＴＢＬ３に含まれるとき、最終的に得られたウェイクアップＩＤが無線基地局１の識別情報に一致することを判定する構成を採用する（ステップＳ１３参照）。
【０１７９】
無線基地局１以外の無線装置は、このような無線基地局１における構成を採用していないので、端末装置２から無線フレームを受信しても、スリープ状態から起動状態へ移行することができない。
【０１８０】
従って、端末装置２が無線フレームを伝送レートＴＲ＿ｓｉｎｇｌｅまたは伝送レートＴＲ＿ｃｈａｎｎｅｌ−ｂｏｎｄｉｎｇで送信することにより、無線基地局１以外の無線装置のウェイクアップを抑制して無線基地局１だけを正確にウェイクアップさせることができる。
【０１８１】
また、ペイロードサイズが一定である場合、無線フレームをチャネルボンディングで送信することにより（即ち、無線フレームを伝送レートＴＲ＿ｃｈａｎｎｅｌ−ｂｏｎｄｉｎｇで送信することにより）、無線フレームの時間長は、（１／チャネル数）倍に短くなる。
【０１８２】
その結果、他の無線装置からの干渉信号が無線フレームに重畳し難くなり、無線フレーム（＝ウェイクアップ信号）を無線基地局１へ正確に送信できる。
【０１８３】
また、伝送レートＴＲ＿ｃｈａｎｎｅｌ−ｂｏｎｄｉｎｇは、伝送レートＴＲ＿ｓｉｎｇｌｅのチャネル数倍になるので、端末装置２における送信動作の時間を短くできる。その結果、端末装置２の消費電力を低減できる。
【０１８４】
なお、図１１に示すチャネルボンディングは、チャネルＣｈ１〜Ｃｈｍの全てを用いたチャネルボンディングであるが、実施の形態１においては、これに限らず、チャネルＣｈ１〜Ｃｈｍの全てに干渉が無い場合、チャネルＣｈ１〜Ｃｈｍのうちの２以上のチャネルを用いたチャネルボンディングで無線フレーム（＝ウェイクアップ信号）を無線基地局１へ送信するようにしてもよい。この場合、端末装置２の無線通信モジュール２２は、ステップＳ９Ａにおいて、チャネルボンディングに用いる２以上のチャネルの周波数帯域でペイロードＰＲＤを含む無線フレームを生成する。
【０１８５】
なお、チャネルボンディングに用いる２以上のチャネルは、受信機が飛び飛びの複数の周波数帯域で電波を受信するのが困難であるため、周波数帯域が連続する２以上のチャネルであることが必要である。
【０１８６】
上記においては、チャネルＣｈ１〜Ｃｈｍにおいてキャリアセンスを行い、チャネルＣｈ１〜Ｃｈｍが空いていない場合、チャネルＣｈ１〜Ｃｈｍに干渉が有ると判定し、チャネルＣｈ１〜Ｃｈｍが空いている場合、チャネルＣｈ１〜Ｃｈｍに干渉が無いと判定すると説明したが、実施の形態１においては、これに限らず、次の方法によって、チャネルＣｈ１〜Ｃｈｍに干渉が無いか否かを判定してもよい。
【０１８７】
例えば、定期的（例えば、５分毎）にチャネルＣｈ１〜Ｃｈｍの各々における無線通信の有無を計測して記憶し、無線通信が有れば、各チャネルＣｈ１〜Ｃｈｍに干渉が有ると判定し、無線通信が無ければ、各チャネルＣｈ１〜Ｃｈｍに干渉が無いと判定する。
【０１８８】
また、定期的（例えば、５分毎）にチャネルＣｈ１〜Ｃｈｍの各々における受信信号強度を計測して記憶し、受信信号強度がしきい値（例えば、−９０ｄＢｍ）よりも大きいとき、各チャネルＣｈ１〜Ｃｈｍに干渉が有ると判定し、受信信号強度がしきい値（例えば、−９０ｄＢｍ）以下であるとき、各チャネルＣｈ１〜Ｃｈｍに干渉が無いと判定する。
【０１８９】
また、上記においては、チャネルＣｈ１〜Ｃｈｍのうちの任意の１つのチャネルをプライマリチャネルＣｈ＿ｐｒｉｍａｒｙとすると説明したが、このプライマリチャネルＣｈ＿ｐｒｉｍａｒｙは、端末装置２が無線基地局１との無線通信に用いるチャネルと同じであってもよく、端末装置２が無線基地局１との無線通信に用いるチャネルと異なっていてもよい。つまり、プライマリチャネルＣｈ＿ｐｒｉｍａｒｙは、端末装置２が無線基地局１との無線通信に用いるチャネルと無関係に決定されるものである。
【０１９０】
［実施の形態２］
図１２は、図１に示す端末装置２の実施の形態２における構成図である。実施の形態２においては、端末装置２は、図１０に示す端末装置２Ａからなる。
【０１９１】
なお、実施の形態２においては、無線基地局１および端末装置２Ａは、例えば、９２０ＭＨｚ帯を用いて無線通信を行う。
【０１９２】
図１２を参照して、端末装置２Ａは、図４に示す端末装置２の無線通信モジュール２２を無線通信モジュール２２Ａに代え、選択手段２４を選択手段２４Ａに代えたものであり、その他は、端末装置２と同じである。
【０１９３】
選択手段２４Ａは、上述したチャネルボンディングの使用または未使用を干渉の有無によって決定し、無線通信モジュール２２Ａは、選択手段２４Ａによる決定結果に応じて、ウェイクアップ信号を無線基地局１へ送信する。
【０１９４】
より具体的には、選択手段２４Ａは、チャネルＣｈ１〜Ｃｈｍの全てに干渉が無い場合、チャネルＣｈ１〜Ｃｈｍのうちの任意の１つのチャネルを示すチャネルリストを無線通信モジュール２２Ａへ出力し、無線通信モジュール２２Ａは、チャネルリストによって示された１つのチャネルを用いてウェイクアップ信号を送信する。また、選択手段２４Ａは、チャネルＣｈ１〜Ｃｈｍのうちの任意の１つのチャネルのみに干渉が有る場合、その干渉が有る１つのチャネルを示すチャネルリストを無線通信モジュール２２Ａへ出力し、無線通信モジュール２２Ａは、チャネルリストによって示された１つのチャネル（干渉が有る１つのチャネル）を用いてウェイクアップ信号を送信する。更に、無線通信モジュール２２Ａは、チャネルＣｈ１〜Ｃｈｍのうちの２つ以上のチャネルに干渉が有る場合、その干渉が有る２つ以上のチャネルを示すチャネルリストを無線通信モジュール２２Ａへ出力し、無線通信モジュール２２Ａは、チャネルリストによって示された複数のチャネル（干渉が有る複数のチャネル）をチャネルボンディングしてウェイクアップ信号を送信する。
【０１９５】
また、無線通信モジュール２２Ａは、チャネルを切り替えながらウェイクアップ信号を再送（または連送）する。
【０１９６】
無線通信モジュール２２Ａは、その他、無線通信モジュール２２と同じ機能を果たす。また、選択手段２４Ａは、その他、選択手段２４と同じ機能を果たす。
【０１９７】
図１３は、実施の形態２におけるウェイクアップ信号の送信方法を示すフローチャートである。
【０１９８】
図１３を参照して、ウェイクアップ信号の送信が開始されると、端末装置２Ａの無線通信モジュール２２Ａおよび選択手段２４Ａは、上述した方法によってチャネルＣｈ１〜Ｃｈｍにおける干渉をチェックする（ステップＳ２１）。
【０１９９】
そして、端末装置２Ａの選択手段２４Ａは、干渉が一切無いか否かを判定する（ステップＳ２２）。
【０２００】
ステップＳ２２において、干渉が一切無いと判定されたとき、端末装置２Ａの選択手段２４Ａは、チャネルＣｈ１〜Ｃｈｍのうちの任意の単一チャネルをウェイクアップ信号の送信用のチャネルとして選択し、その選択した単一チャネルを示すチャネルリストを無線通信モジュール２２Ａへ出力する。そして、端末装置２Ａの無線通信モジュール２２Ａは、チャネルリストによって示された単一チャネルを用いてＣＳＭＡ／ＣＡ方式に従ってウェイクアップ信号を送信する（ステップＳ２３）。
【０２０１】
一方、ステップＳ２２において、干渉が有ると判定されたとき、端末装置２Ａの選択手段Ａは、単一チャネルのみに干渉が有るか否かを更に判定する（ステップＳ２４）。
【０２０２】
ステップＳ２４において、単一チャネルのみに干渉が有ると判定されたとき、端末装置２Ａの選択手段２４Ａは、干渉が有る単一チャネルをウェイクアップ信号の送信用のチャネルとして選択し、その選択した単一チャネルを示すチャネルリストを無線通信モジュール２２Ａへ出力する。そして、端末装置２Ａの無線通信モジュール２２Ａは、チャネルリストによって示された単一チャネルを用いてＣＳＭＡ／ＣＡ方式に従ってウェイクアップ信号を送信する（ステップＳ２５）。
【０２０３】
一方、ステップＳ２４において、複数のチャネルに干渉が有ると判定されたとき、端末装置２Ａの選択手段２４Ａは、チャネルＣｈ１〜Ｃｈｍ（干渉が有る複数のチャネルを含む）を示すチャネルリストを無線通信モジュール２２Ａへ出力する。そして、端末装置２Ａの無線通信モジュール２４Ａは、チャネルリストによって示されたチャネルＣｈ１〜Ｃｈｍの全てを用いたチャネルボンディングによって、ＣＳＭＡ／ＣＡ方式に従ってウェイクアップ信号を送信する（ステップＳ２６）。
【０２０４】
そして、ステップＳ２３，Ｓ２５，Ｓ２６のいずれかの後、ウェイクアップ信号の送信が終了する。
【０２０５】
このように、選択手段２４Ａは、干渉が一切無い場合、チャネルＣｈ１〜Ｃｈｍのうちの任意のチャネルを選択し、無線通信モジュール２２Ａは、その選択されたチャネルを用いてウェイクアップ信号を送信する（ステップＳ２３参照）。また、干渉が有る場合、選択手段２４Ａは、その干渉が有るチャネルを少なくとも選択し、無線通信モジュール２２Ａは、選択手段２４Ａによって選択されたチャネル用いてウェイクアップ信号を送信する（ステップＳ２５，Ｓ２６参照）。
【０２０６】
干渉が一切無ければ、無線基地局１は、端末装置２Ａから送信されたウェイクアップ信号のみを受信するので、端末装置２Ａは、ウェイクアップ信号を正確に送信できる。
【０２０７】
また、干渉が有るチャネルを少なくとも用いてウェイクアップ信号を送信した場合、干渉が有るチャネルで無線通信を行う他の端末装置は、端末装置２Ａからのウェイクアップ信号の送信を検知すると、自己の無線通信を中止する。その結果、無線基地局１は、端末装置２Ａからのウェイクアップ信号に重畳して他の端末装置からの信号を受信することは無い。従って、端末装置２Ａは、ウェイクアップ信号を正確に送信できる。
【０２０８】
干渉が有る場合、通常は、干渉が有るチャネルを避け、干渉が無いチャネルを用いてウェイクアップ信号を送信するが、実施の形態２においては、敢えて、干渉が有るチャネルを用いてウェイクアップ信号を送信することにより他の端末装置による無線通信を阻止してウェイクアップ信号を送信することを特徴とする。これにより、ウェイクアップ信号を正確に送信できる。
【０２０９】
図１４は、チャネルボンディングの他の概念図である。図１４の（ａ）を参照して、チャネルＣｈ１〜Ｃｈｍのうち、２つのチャネルＣｈ３，Ｃｈ７に干渉が有る場合、選択手段２４Ａは、全てのチャネルＣｈ１〜Ｃｈｍを用いたチャネルボンディングを選択し、無線通信モジュール２２Ａは、全てのチャネルＣｈ１〜Ｃｈｍを用いたチャネルボンディングによってウェイクアップ信号を送信する。この場合、チャネルＣｈ＿ＢＤ１は、ボンディングチャネルであり、周波数帯域ｆ＿ＢＤ１を有する。
【０２１０】
図１４の（ｂ）を参照して、チャネルＣｈ１〜Ｃｈｍのうち、２つのチャネルＣｈ３，Ｃｈ７に干渉が有る場合、選択手段２４Ａは、２つのチャネルＣｈ３，Ｃｈ７を含むチャネルＣｈ３〜Ｃｈ７を用いたチャネルボンディングを選択し、無線通信モジュール２２Ａは、チャネルＣｈ３〜Ｃｈ７を用いたチャネルボンディングによってウェイクアップ信号を送信してもよい。即ち、選択手段２４Ａは、チャネルＣｈ１〜Ｃｈｍのうち、干渉が有る２つのチャネルＣｈ３，Ｃｈ７を含むチャネルＣｈ３〜Ｃｈ７を用いたチャネルボンディングを選択し、無線通信モジュール２２Ａは、チャネルＣｈ３〜Ｃｈ７を用いたチャネルボンディングによってウェイクアップ信号を送信する。この場合、チャネルＣｈ＿ＢＤ２は、ボンディングチャネルであり、周波数帯域ｆ＿ＢＤ２を有する。
【０２１１】
２つのチャネルＣｈ３，Ｃｈ７に干渉が有る場合、チャネルＣｈ２〜Ｃｈ４，Ｃｈ６〜Ｃｈ８を用いたチャネルボンディングによってウェイクアップ信号を送信することはない。これは、チャネルＣｈ２〜Ｃｈ４の周波数帯域は、チャネルＣｈ６〜Ｃｈ８の周波数帯域に隣接していないため、受信側である無線基地局１がチャネルＣｈ２〜Ｃｈ４の周波数帯域とチャネルＣｈ６〜Ｃｈ８の周波数帯域とに分離して信号を受信できないからである。
【０２１２】
従って、チャネルボンディングする場合、周波数帯域が連続する複数のチャネルを用いる必要がある。
【０２１３】
よって、この発明の実施の形態においては、無線通信モジュール２２Ａは、チャネルＣｈ１〜Ｃｈｍのうち、干渉が有る２つのチャネルＣｈ３，Ｃｈ７を含み、かつ、周波数帯域が連続する複数のチャネルを用いたチャネルボンディングによってウェイクアップ信号を送信する。
【０２１４】
図１４の（ｃ）を参照して、周波数帯域が連続する２個のチャネルＣｈ３，Ｃｈ４に干渉がある場合、選択手段２４Ａは、２個のチャネルＣｈ３，Ｃｈ４のみを用いたチャネルボンディング（周波数帯域ｆ＿ＢＤ３を有するボンディングチャネルＣｈ＿ＢＤ３）を選択し、無線通信モジュール２２Ａは、選択手段２４Ａによって選択されたチャネルボンディングによってウェイクアップ信号を送信してもよいし、選択手段２４Ａは、２個のチャネルＣｈ３，Ｃｈ４を含むチャネルＣｈ２〜Ｃｈ５を用いたチャネルボンディング（周波数帯域ｆ＿ＢＤ４を有するボンディングチャネルＣｈ＿ＢＤ４）を選択し、無線通信モジュール２２Ａは、選択手段２４Ａによって選択されたチャネルボンディングによってウェイクアップ信号を送信してもよいし、選択手段２４Ａは、２個のチャネルＣｈ３，Ｃｈ４を含み、かつ、周波数帯域が連続する複数のチャネルであれば、どのような複数のチャネルを用いたチャネルボンディングを選択し、無線通信モジュール２２Ａは、選択手段２４Ａによって選択されたチャネルボンディングによってウェイクアップ信号を送信してもよい。
【０２１５】
干渉が有るチャネルが３個以上である場合も、選択手段２４Ａは、図１４の（ａ）〜（ｃ）のいずれかのチャネルボンディングを選択し、無線通信モジュール２２Ａは、図１４の（ａ）〜（ｃ）のいずれかのチャネルボンディングによってウェイクアップ信号を送信する。即ち、干渉が有るチャネルが３個以上である場合も、選択手段２４Ａは、干渉が有る３個以上のチャネルを含み、かつ、周波数帯域が連続する複数のチャネルを用いたチャネルボンディングを選択し、無線通信モジュール２２Ａは、選択手段２４Ａによって選択されたチャネルボンディングによってウェイクアップ信号を送信する。
【０２１６】
従って、図１３に示すステップＳ２６においては、選択手段２４Ａは、図１４の（ａ）〜（ｃ）のいずれかのチャネルボンディングを選択し、無線通信モジュール２２Ａは、選択手段２４Ａによって選択されたチャネルボンディングによってウェイクアップ信号を送信してもよい。即ち、図１３に示すステップＳ２６においては、選択手段２４Ａは、干渉が有るチャネルが２個以上である場合、干渉が有る２個以上のチャネルを含み、かつ、周波数帯域が連続する複数のチャネルを用いたチャネルボンディングを選択し、無線通信モジュール２２Ａは、選択手段２４Ａによって選択されたチャネルボンディングによってウェイクアップ信号を送信してもよい。
【０２１７】
なお、図１３に示すフローチャートのステップＳ２５においては、選択手段２４Ａは、干渉が有る単一チャネルを含み、かつ、周波数帯域が連続する複数のチャネルを用いたチャネルボンディング（図１４の（ａ）〜（ｃ）のいずれかのチャネルボンディング）を選択し、無線通信モジュール２２Ａは、選択手段２４Ａによって選択されたチャネルボンディングによってウェイクアップ信号を送信してもよい。
【０２１８】
そうすると、干渉が有るチャネルが単一であるか２個以上であるかに拘わらず、少なくとも１つのチャネルに干渉が有れば、選択手段２４Ａは、干渉が有る少なくとも１つのチャネルを選択し、無線通信モジュール２２Ａは、選択手段２４Ａによって選択されたチャネルを用いてウェイクアップ信号を送信する。
【０２１９】
また、図１３に示すフローチャートのステップＳ２３においては、選択手段２４Ａは、２個以上のチャネルを含み、かつ、周波数領域が連続する複数のチャネルを用いたチャネルボンディング（（図１４の（ａ）〜（ｃ）のいずれかのチャネルボンディングと同様のチャネルボンディング）を選択し、無線通信モジュール２２Ａは、選択手段２４Ａによって選択されたチャネルボンディングによってウェイクアップ信号を送信してもよい。
【０２２０】
そうすると、干渉が一切無い場合、選択手段２４Ａは、干渉が無い少なくとも１つのチャネルを選択し、無線通信モジュール２２Ａは、選択手段２４Ａによって選択された少なくとも１つのチャネル（干渉が無い少なくとも１つのチャネル）を用いてウェイクアップ信号を送信する。
【０２２１】
図１５は、実施の形態２におけるウェイクアップ信号の別の送信方法を示すフローチャートである。
【０２２２】
図１５に示すフローチャートは、図１３に示すフローチャートのステップＳ２３〜Ｓ２６をステップＳ２７，Ｓ２８に代えたものであり、その他は、図１３に示すフローチャートと同じである。
【０２２３】
図１５を参照して、ウェイクアップ信号の送信が開始されると、上述したステップＳ２１，Ｓ２２が順次実行される。
【０２２４】
そして、ステップＳ２２において、干渉が一切無いと判定されたとき、端末装置２Ａの選択手段２４Ａは、干渉が無い少なくとも１つのチャネルを選択し、無線通信モジュール２２Ａは、選択手段２４Ａによって選択された少なくとも１つのチャネルを用いてＣＳＭＡ／ＣＡ方式に従ってウェイクアップ信号を送信する（ステップＳ２７）。
【０２２５】
一方、ステップＳ２２において、干渉が有ると判定されたとき、端末装置２Ａの選択手段２４Ａは、干渉が有る少なくとも１つのチャネルを選択し、無線通信モジュール２２Ａは、選択手段２４Ａによって選択された少なくとも１つのチャネルを用いてＣＳＭＡ／ＣＡ方式に従ってウェイクアップ信号を送信する（ステップＳ２８）。
【０２２６】
そして、ステップＳ２７，Ｓ２８のいずれかの後、ウェイクアップ信号の送信が終了する。
【０２２７】
干渉が一切無い場合、干渉が無い少なくとも１つのチャネルを用いてウェイクアップ信号を送信することによって、ウェイクアップ信号を正確に送信できる。そして、複数のチャネルを用いたチャネルボンディングによってウェイクアップ信号を送信した場合、伝送レートを単一チャネルにおける伝送レートのチャネル数倍にできる。
【０２２８】
また、干渉が有る場合、干渉が有る少なくとも１つのチャネルを用いてウェイクアップ信号を送信することによって、ウェイクアップ信号を正確に送信できる。そして、干渉が有る２個以上のチャネルを含み、かつ、周波数帯域が連続する複数のチャネルを用いたチャネルボンディングによってウェイクアップ信号を送信した場合、伝送レートを単一チャネルにおける伝送レートのチャネル数倍にできる。
【０２２９】
この発明の実施の形態においては、ウェイクアップ信号を複数回連続して送信（連送）してもよい。
【０２３０】
図１６は、ウェイクアップ信号を連送する方法を示すフローチャートである。図１６を参照して、ウェイクアップ信号の連送が開始されると、端末装置２Ａの無線通信モジュール２２Ａは、ｎ＝０を設定する（ステップＳ３１）。ｎは、ウェイクアップ信号の送信回数を示す。
【０２３１】
そして、端末装置２Ａの無線通信モジュール２２Ａは、ウェイクアップ信号の送信用のチャネルＣｈＷＵをチャネルＣｈ１〜Ｃｈｍからランダムに選択する（ステップＳ３２）。
【０２３２】
その後、端末装置２Ａの無線通信モジュール２２Ａは、チャネルＣｈＷＵを用いてＣＳＭＡ／ＣＡ方式に従ってウェイクアップ信号を送信する（ステップＳ３３）。
【０２３３】
引き続いて、端末装置２Ａの無線通信モジュール２２Ａは、ｎ＝ｎ＋１を設定し（ステップＳ３４）、ｎ＜Ｎであるか否かを判定する（ステップＳ３５）。Ｎは、ウェイクアップ信号の連送回数を示し、チャネルＣｈ１〜Ｃｈｍの総数と同じあってもよく、異なっていてもよい。
【０２３４】
ステップＳ３５において、ｎ＜Ｎであると判定されたとき、一連の動作は、ステップＳ３２に戻り、ステップＳ３５において、ｎ＜Ｎでないと判定されるまで、上述したステップＳ３２〜ステップＳ３５が繰返し実行される。
【０２３５】
そして、ステップＳ３５において、ｎ＜Ｎでないと判定されると、ウェイクアップ信号の連送が終了する。
【０２３６】
図１６に示すフローチャートは、図１５に示すステップＳ２７またはステップＳ２８において実行される。図１６に示すフローチャートがステップＳ２７において実行される場合、Ｎ個のチャネルＣｈＷＵの全ては、干渉が無いチャネルからなる。また、図１６に示すフローチャートがステップＳ２８において実行される場合、Ｎ個のチャネルＣｈＷＵは、干渉が有るチャネルのみからなり、または干渉が有るチャネルと干渉が無いチャネルとからなる。
【０２３７】
図１６に示すフローチャートにおいて説明したように、チャネルを変えてウェイクアップ信号を送信することによって（ステップＳ３２，Ｓ３３参照）、受信信号強度が落ち込む距離が変化する。従って、受信信号強度が繰返し連続して落ち込む確率を減少し、ウェイクアップの成功確率を高くできる。
【０２３８】
図１７は、ウェイクアップ信号の連送時におけるチャネルの選択例を示す図である。図１７を参照して、使用可能なチャネルがチャネルＣｈ１〜Ｃｈ５０（それぞれ中心周波数ｆ１〜ｆ５０を有する）である場合、端末装置２Ａの選択手段２４Ａは、チャネルＣｈ１を選択し、無線通信モジュール２２Ａは、チャネルＣｈ１を用いてウェイクアップ信号の１回目の送信を行う。その後、端末装置２Ａの選択手段２４Ａは、チャネルＣｈ５０を選択し、無線通信モジュール２２Ａは、チャネルＣｈ５０を用いてウェイクアップ信号の２回目の送信を行う。チャネルＣｈ５０は、中心周波数がチャネルＣｈ１の中心周波数から最も離れたチャネルである。２回目のウェイクアップ信号の送信後、端末装置２Ａの選択手段２４Ａは、チャネルＣｈ１以外のチャネルＣｈ２〜Ｃｈ５０のうちで、中心周波数がチャネルＣｈ５０の中心周波数から最も離れたチャネルＣｈ２を選択し、無線通信モジュール２２Ａは、チャネルＣｈ２を用いてウェイクアップ信号の３回目の送信を行う。以降、端末装置２Ａの無線通信モジュール２２Ａおよび選択手段２４Ａは、同じ動作を繰り返してウェイクアップ信号を連送する。
【０２３９】
図１８は、ウェイクアップ信号の別の連送方法を示すフローチャートである。図１８を参照して、ウェイクアップ信号の連送が開始されると、端末装置２Ａの選択手段２４Ａは、ｎ＝０を設定し（ステップＳ４１）、ウェイクアップ信号の送信用のチャネルＣｈＷＵに初期チャネルＣｈＩを設定する（ステップＳ４２）。初期チャネルＣｈＩは、使用可能なチャネルＣｈ１〜Ｃｈｍのうちの任意の１つのチャネルである。
【０２４０】
ステップＳ４２の後、端末装置２Ａの選択手段２４Ａは、選択可能チャネルセットからチャネルＣｈＷＵを削除する（ステップＳ４３）。そして、端末装置２Ａの無線通信モジュール２２Ａは、チャネルＣｈＷＵを用いてＣＳＭＡ／ＣＡ方式に従ってウェイクアップ信号を送信する（ステップＳ４４）。
【０２４１】
その後、端末装置２Ａの無線通信モジュール２２Ａは、ｎ＝ｎ＋１を設定し（ステップＳ４５）、ｎ＜Ｎであるか否かを判定する（ステップＳ４６）。
【０２４２】
ステップＳ４６において、ｎ＜Ｎであると判定されたとき、端末装置２Ａの選択手段２４Ａは、現在のチャネルＣｈＷＵから中心周波数が最も離れたチャネルを選択可能チャネルセットから選択し、その選択したチャネルを新しいチャネルＣｈＷＵに設定する（ステップＳ４７）。
【０２４３】
その後、一連の動作は、ステップＳ４３へ戻り、ステップＳ４６において、ｎ＜Ｎでないと判定されるまで、上述したステップＳ４３〜Ｓ４７が繰返し実行される。
【０２４４】
そして、ステップＳ４６において、ｎ＜Ｎでないと判定されると、ウェイクアップ信号の連送が終了する。
【０２４５】
図１８に示すフローチャートは、図１５に示すステップＳ２７またはステップＳ２８において実行される。図１８に示すフローチャートがステップＳ２７において実行される場合、Ｎ個のチャネルＣｈＷＵの全ては、干渉が無いチャネルからなる。また、図１８に示すフローチャートがステップＳ２８において実行される場合、Ｎ個のチャネルＣｈＷＵは、干渉が有るチャネルのみからなり、または干渉が有るチャネルと干渉が無いチャネルとからなる。
【０２４６】
図１８に示すフローチャートにおいて説明したように、端末装置２Ａの無線通信モジュール２２Ａおよび選択手段２４Ａは、チャネルを中心周波数が最も離れたチャネルに順次切り替えながらウェイクアップ信号を連送する。そして、Ｎ回のウェイクアップ信号の送信において、チャネルは、必ず異なる。その結果、受信信号強度が落ち込む距離は、確実に変化する。
【０２４７】
従って、受信信号強度が繰返し連続して落ち込む確率をより減少し、ウェイクアップの成功確率を更に高くできる。
【０２４８】
図１９は、ウェイクアップ信号の再送方法を示すフローチャートである。図１９に示すフローチャートは、図１６に示すフローチャートのステップＳ３３とステップＳ３４との間にステップＳ５１を挿入したものであり、その他は、図１６に示すフローチャートと同じである。
【０２４９】
図１９を参照して、ウェイクアップ信号の再送が開始されると、端末装置２Ａの無線通信モジュール２２Ａおよび選択手段２４Ａは、上述したステップＳ３１〜Ｓ３３を順次実行する。
【０２５０】
そして、ステップＳ３３の後、端末装置２Ａの無線通信モジュール２２Ａは、無線基地局１から起動通知を受信したか否かによって無線基地局１がウェイクアップに成功したか否かを判定する（ステップＳ５１）。
【０２５１】
この場合、端末装置２Ａの無線通信モジュール２２Ａは、無線基地局１から起動通知を受信した場合、無線基地局１がウェイクアップに成功したと判定し、無線基地局１から起動通知を受信しない場合、無線基地局１がウェイクアップに成功しなかったと判定する。
【０２５２】
なお、端末装置２Ａの無線通信モジュール２２Ａは、起動通知に代えてビーコンフレームを無線基地局１から受信した場合、無線基地局１がウェイクアップに成功したと判定し、起動通知に代えて無線基地局１からビーコンフレームを受信しない場合、無線基地局１がウェイクアップに成功しなかったと判定してもよい。
【０２５３】
ステップＳ５１において、ウェイクアップに成功しなかったと判定された場合、端末装置２Ａの無線通信モジュール２２Ａは、上述したステップＳ３４，Ｓ３５を順次実行する。
【０２５４】
その後、端末装置２Ａの無線通信モジュール２２Ａおよび選択手段２４Ａは、ステップＳ３５において、ｎ＜Ｎでないと判定されるまで、ステップＳ３２，Ｓ３３，Ｓ５１，Ｓ３４，Ｓ３５を繰返し実行する。
【０２５５】
そして、ステップＳ５１において、ウェイクアップに成功したと判定されたとき、またはステップＳ３５において、ｎ＜Ｎでないと判定されたとき、ウェイクアップ信号の再送が終了する。
【０２５６】
図１９に示すフローチャートは、図１５に示すステップＳ２７またはステップＳ２８において実行される。図１９に示すフローチャートがステップＳ２７において実行される場合、Ｎ個のチャネルＣｈＷＵの全ては、干渉が無いチャネルからなる。また、図１９に示すフローチャートがステップＳ２８において実行される場合、Ｎ個のチャネルＣｈＷＵは、干渉が有るチャネルのみからなり、または干渉が有るチャネルと干渉が無いチャネルとからなる。
【０２５７】
図１９に示すフローチャートにおいて説明したように、チャネルを変えてウェイクアップ信号を送信することによって（ステップＳ３２，Ｓ３３参照）、受信信号強度が落ち込む距離が変化する。従って、受信信号強度が繰返し連続して落ち込む確率を減少し、ウェイクアップの成功確率を高くできる。
【０２５８】
図２０は、ウェイクアップ信号の別の再送方法を示すフローチャートである。図２０に示すフローチャートは、図１８に示すフローチャートのステップＳ４４とステップＳ４５との間にステップＳ６１を挿入したものであり、その他は、図１８に示すフローチャートと同じである。
【０２５９】
図２０を参照して、ウェイクアップ信号の再送が開始されると、端末装置２Ａの無線通信モジュール２２Ａおよび選択手段２４Ａは、上述したステップＳ４１〜Ｓ４４を順次実行する。
【０２６０】
そして、ステップＳ４４の後、端末装置２Ａの無線通信モジュール２２Ａは、上述した方法によって無線基地局１がウェイクアップに成功したか否かを判定する（ステップＳ６１）。
【０２６１】
ステップＳ６１において、ウェイクアップに成功しなかったと判定されたとき、端末装置２Ａの無線通信モジュール２２Ａおよび選択手段２４Ａは、上述したステップＳ４５〜Ｓ４７を順次実行する。
【０２６２】
その後、端末装置２Ａの無線通信モジュール２２Ａおよび選択手段２４Ａは、ステップＳ４６において、ｎ＜Ｎでないと判定されるまで、ステップＳ４３，Ｓ４４，Ｓ６１，Ｓ４５〜Ｓ４７を繰返し実行する。
【０２６３】
そして、ステップＳ６１において、ウェイクアップに成功したと判定されたとき、またはステップＳ４６において、ｎ＜Ｎでないと判定されたとき、ウェイクアップ信号の再送が終了する。
【０２６４】
図２０に示すフローチャートは、図１５に示すステップＳ２７またはステップＳ２８において実行される。図２０に示すフローチャートがステップＳ２７において実行される場合、Ｎ個のチャネルＣｈＷＵの全ては、干渉が無いチャネルからなる。また、図２０に示すフローチャートがステップＳ２８において実行される場合、Ｎ個のチャネルＣｈＷＵは、干渉が有るチャネルのみからなり、または干渉が有るチャネルと干渉が無いチャネルとからなる。
【０２６５】
図２０に示すフローチャートにおいて説明したように、端末装置２Ａの無線通信モジュール２２Ａおよび選択手段２４Ａは、チャネルを中心周波数が最も離れたチャネルに順次切り替えながらウェイクアップ信号を再送する。そして、ウェイクアップ信号が複数回送信される場合、ウェイクアップ信号を送信するためのチャネルは、必ず異なる。その結果、受信信号強度が落ち込む距離が確実に変化する。
【０２６６】
従って、受信信号強度が繰返し連続して落ち込む確率をより減少し、ウェイクアップの成功確率を更に高くできる。
【０２６７】
図２１は、ウェイクアップ信号の別の送信方法を説明するための図である。図２１を参照して、ウェイクアップ信号としての無線フレームＦＲは、例えば、４個の部分ＦＲ＿１〜ＦＲ＿４からなる。４個の部分ＦＲ＿１〜ＦＲ＿４は、例えば、相互に同じ長さ（時間的長さ）を有する。
【０２６８】
端末装置２，２Ａの選択手段２４，２４Ａは、無線フレームＦＲの部分ＦＲ＿１の送信用チャネルとしてチャネルＣｈ１を選択し、無線フレームＦＲの部分ＦＲ＿２の送信用チャネルとしてチャネルＣｈ３を選択し、無線フレームＦＲの部分ＦＲ＿３の送信用チャネルとしてチャネルＣｈ２を選択し、無線フレームＦＲの部分ＦＲ＿４の送信用チャネルとしてチャネルＣｈ４を選択する。そして、端末装置２，２Ａの無線通信モジュール２２，２２Ａは、無線フレームＦＲの部分ＦＲ＿１をチャネルＣｈ１を用いて送信し、無線フレームＦＲの部分ＦＲ＿２をチャネルＣｈ３を用いて送信し、無線フレームＦＲの部分ＦＲ＿３をチャネルＣｈ２を用いて送信し、無線フレームＦＲの部分ＦＲ＿４をチャネルＣｈ４を用いて送信する。
【０２６９】
このように、端末装置２，２Ａの無線通信モジュール２２，２２Ａおよび選択手段２４，２４Ａは、周波数帯域が連続する４個のチャネルＣｈ１〜Ｃｈ４を順次切り替えながら無線フレームＦＲを送信する。
【０２７０】
これにより、特定のチャネルにおいて周辺に存在する機器に対する干渉を防止できる。
【０２７１】
なお、チャネルを切り替えながらウェイクアップ信号を送信するときのチャネルは、４個のチャネルＣｈ１〜Ｃｈ４に限らず、周波数帯域が連続する２個以上のチャネルであればよい。また、２個以上のチャネルでウェイクアップ信号を送信するときの各チャネルで送信する無線フレームＦＲの一部の長さ（時間的長さ）は、相互に同じであっても異なっていてもよい。
【０２７２】
図２２は、図２に示すウェイクアップ信号受信機１３の別の構成図である。端末装置２，２Ａの無線通信モジュール２２，２２Ａおよび選択手段２４，２４Ａが複数のチャネルを切り替えながらウェイクアップ信号（＝無線フレームＦＲ）を送信する場合、図２に示すウェイクアップ信号受信機１３は、図２２に示すウェイクアップ信号受信機１３Ａからなる。
【０２７３】
図２２を参照して、ウェイクアップ信号受信機１３Ａは、信号受信器１３０−１〜１３０−ｍと、ＩＤ識別器１３５Ａとを含む。
【０２７４】
信号受信器１３０−１は、アンテナ１１および切替器１２を介して電波を受信し、その受信した受信電波のうち、中心周波数ｆ１とチャネルＣｈ１の帯域幅とを有する受信電波を検出し、その検出した受信電波を包絡線検波し、更に、その検波後の検波信号をビット判定し、ビット列の“１”の累積値をカウントし、そのカウントした累積値をＩＤ識別器１３５Ａへ出力する。
【０２７５】
信号受信器１３０−２は、アンテナ１１および切替器１２を介して電波を受信し、その受信した受信電波のうち、中心周波数ｆ２とチャネルＣｈ２の帯域幅とを有する受信電波を検出し、その検出した受信電波を包絡線検波し、更に、その検波後の検波信号をビット判定し、ビット列の“１”の累積値をカウントし、そのカウントした累積値をＩＤ識別器１３５Ａへ出力する。
【０２７６】
以下、同様にして、信号受信器１３０−ｍは、アンテナ１１および切替器１２を介して電波を受信し、その受信した受信電波のうち、中心周波数ｆｍとチャネルＣｈｍの帯域幅とを有する受信電波を検出し、その検出した受信電波を包絡線検波し、更に、その検波後の検波信号をビット判定し、ビット列の“１”の累積値をカウントし、そのカウントした累積値をＩＤ識別器１３５Ａへ出力する。
【０２７７】
このように、信号受信器１３０−１〜１３０−ｍは、それぞれ、チャネルＣｈ１〜Ｃｈｍに対応して設けられ、チャネルＣｈ１〜Ｃｈｍを用いて送信された電波の受信処理を行う。
【０２７８】
信号受信器１３０−１〜１３０−ｍの各々は、図３に示すＢＰＦ１３１、包絡線検波器１３２、ビット判定器１３３およびフレーム長検出器１３４が図３に示すように直列に接続された構成からなる。
【０２７９】
ＩＤ識別器１３５Ａは、変換表ＴＢＬ２を保持している。そして、ＩＤ識別器１３５Ａは、信号受信器１３０−１〜１３０−ｍからｍ個の累積値を受け、その受けたｍ個の累積値の和を演算し、変換表ＴＢＬ２を参照して、累積値の和をビット列に変換する。
【０２８０】
ＩＤ識別器１３５Ａは、その他、ＩＤ識別器１３５と同じ機能を果たす。
【０２８１】
端末装置２，２Ａの無線通信モジュール２２，２２Ａおよび選択手段２４，２４Ａが図２１に示すようにチャネルをチャネルＣｈ１，Ｃｈ３，Ｃｈ２，Ｃｈ４に順次切り替えながら無線フレームＦＲを送信した場合、ウェイクアップ信号受信機１３Ａは、チャネルＣｈ１で送信された部分ＦＲ＿１、チャネルＣｈ３で送信された部分ＦＲ＿２、チャネルＣｈ２で送信された部分ＦＲ＿３およびチャネルＣｈ４で送信された部分ＦＲ＿４の順で受信する。
【０２８２】
その結果、信号受信器１３０−１は、部分ＦＲ＿１の受信電波を上述した方法によって処理し、累積値Ｂ１を１番目にＩＤ識別器１３５Ａへ出力する。
【０２８３】
また、信号受信器１３０−３は、部分ＦＲ＿２の受信電波を上述した方法によって処理し、累積値Ｂ２を２番目にＩＤ識別器１３５Ａへ出力する。
【０２８４】
更に、信号受信器１３０−２は、部分ＦＲ＿３の受信電波を上述した方法によって処理し、累積値Ｂ３を３番目にＩＤ識別器１３５Ａへ出力する。
【０２８５】
更に、信号受信器１３０−４は、部分ＦＲ＿４の受信電波を上述した方法によって処理し、累積値Ｂ４を４番目にＩＤ識別器１３５Ａへ出力する。
【０２８６】
更に、信号受信器１３０−５〜１３０−ｍの各々は、“０”からなる累積値をＩＤ識別器１３５Ａへ出力する。
【０２８７】
そして、ＩＤ識別器１３５Ａは、信号受信器１３０−１〜１３０−４からそれぞれ累積値Ｂ１，Ｂ３，Ｂ２，Ｂ４を受け、信号受信器１３０−５〜１３０−ｍの各々から累積値（＝０）を受ける。
【０２８８】
そうすると、ＩＤ識別器１３５Ａは、累積値Ｂ１〜Ｂ４の和を演算し、その演算した和を変換表ＴＢＬ２に基づいてビット列に変換する。そして、ＩＤ識別器１３５Ａは、その変換したビット列が無線基地局１の識別情報に一致するとき、起動信号を生成してホストシステム１４３へ出力する。
【０２８９】
なお、ウェイクアップ信号受信機１３Ａは、４個以外の複数のチャネルを順次切り替えながらウェイクアップ信号（＝無線フレームＦＲ）が送信された場合も、上述した方法によって無線フレームＦＲの受信処理を行い、受信処理によって得られたビット列が無線基地局１の識別情報に一致するとき、起動信号を生成してホストシステム１４３へ出力する。
【０２９０】
また、ウェイクアップ信号の送信に用いるチャネルは、周波数帯域が連続する複数のチャネルであれば、どのような複数のチャネルであってもよく、チャネルを切り替える順番は、任意である。
【０２９１】
チャネルを切り替えながらウェイクアップ信号を送信する方法は、図１３に示すフローチャートのステップＳ２６において、チャネルＣｈ１〜Ｃｈｍの全てを用いて実行されてもよく、図１５に示すフローチャートのステップＳ２７またはステップＳ２８において、チャネルＣｈ１〜Ｃｈｍのうちの２以上のチャネルを用いて実行されてもよい。
【０２９２】
図２３は、図１に示す無線通信システムにおける動作を説明するための実施の形態２におけるフローチャートである。
【０２９３】
図２３に示すフローチャートは、図９に示すフローチャートのステップＳ７〜ステップＳ１１をステップＳ７１に代えたものであり、その他は、図９に示すフローチャートと同じである。
【０２９４】
図２３を参照して、一連の動作が開始されると、無線基地局１は、上述したステップＳ１〜ステップＳ３を順次実行し、その後、端末装置２Ａは、上述したステップＳ４〜ステップＳ６を順次実行する。
【０２９５】
そして、ステップＳ６の後、端末装置２Ａは、図１３に示すフローチャートに従ってウェイクアップ信号を送信する（ステップＳ７１）。
【０２９６】
この場合、端末装置２ＡがステップＳ２３またはステップＳ２５を実行するとき、端末装置２Ａの無線通信モジュール２２Ａは、単位チャネルの周波数帯域で無線フレームＦＲを生成し、その生成した無線フレームＦＲをアンテナ２１を介して送信する。
【０２９７】
また、端末装置２ＡがステップＳ２６を実行する場合、端末装置２Ａの無線通信モジュール２２Ａは、チャネルＣｈ１〜Ｃｈｍの全ての周波数帯域で無線フレームＦＲを生成（＝チャネルボンディング）し、その生成した無線フレームＦＲをアンテナ２１を介して送信する。
【０２９８】
ステップＳ７１の後、無線基地局１は、上述したステップＳ１２〜ステップＳ１４を順次実行する。これにより、一連の動作が終了する。
【０２９９】
図２４は、図１に示す無線通信システムにおける別の動作を説明するための実施の形態２におけるフローチャートである。
【０３００】
図２４に示すフローチャートは、図９に示すフローチャートのステップＳ７〜ステップＳ１１をステップＳ８１に代えたものであり、その他は、図９に示すフローチャートと同じである。
【０３０１】
図２４を参照して、一連の動作が開始されると、無線基地局１は、上述したステップＳ１〜ステップＳ３を順次実行し、その後、端末装置２Ａは、上述したステップＳ４〜ステップＳ６を順次実行する。
【０３０２】
そして、ステップＳ６の後、端末装置２Ａは、図１５に示すフローチャートに従ってウェイクアップ信号を送信する（ステップＳ８１）。
【０３０３】
この場合、端末装置２ＡがステップＳ２７またはステップＳ２８を実行するとき、端末装置２Ａの無線通信モジュール２２Ａは、チャネルＣｈ１〜Ｃｈｍのうち、周波数帯域が連続する２以上のチャネルの周波数帯域で無線フレームＦＲを生成（＝チャネルボンディング）し、その生成した無線フレームＦＲをアンテナ２１を介して送信する。
【０３０４】
ステップＳ８１の後、無線基地局１は、上述したステップＳ１２〜ステップＳ１４を順次実行する。これにより、一連の動作が終了する。
【０３０５】
図２５は、図１に示す無線通信システムにおける更に別の動作を説明するための実施の形態２におけるフローチャートである。
【０３０６】
図２５に示すフローチャートは、図９に示すフローチャートのステップＳ７〜ステップＳ１１をステップＳ９１，Ｓ９２に代え、ステップＳ１２，Ｓ１３をそれぞれステップＳ１２Ｃ，Ｓ１３Ａに代えたものであり、その他は、図９に示すフローチャートと同じである。
【０３０７】
図２５を参照して、一連の動作が開始されると、無線基地局１は、上述したステップＳ１〜ステップＳ３を順次実行し、その後、端末装置２Ａは、上述したステップＳ４〜ステップＳ６を順次実行する。
【０３０８】
そして、端末装置２Ａの無線通信モジュール２２Ａは、単一チャネルの周波数帯域で無線フレームＦＲ（＝ウェイクアップ信号）を生成する（ステップＳ９１）。
【０３０９】
その後、端末装置２Ａの無線通信モジュール２２Ａは、図１５に示すフローチャートのステップＳ２１，Ｓ２２を順次実行し、ステップＳ２７またはステップＳ２８において、図１６に示すフローチャートに従って無線フレームＦＲをＮ回連送する（ステップＳ９２）。
【０３１０】
そうすると、無線基地局１のウェイクアップ信号受信機１３は、Ｎ個の無線フレームＦＲの各々を無線通信帯域の全帯域で受信し、上述した方法によって、Ｎ個の無線フレームＦＲのＮ個のフレーム長を検出し、その検出したＮ個のフレーム長からＮ個のウェイクアップＩＤを検出する（ステップＳ１２Ｃ）。
【０３１１】
そして、無線基地局１のウェイクアップ信号受信機１３は、Ｎ個のウェイクアップＩＤのいずれかが無線基地局１の識別情報（ＩＤ）に一致するか否かを判定する（ステップＳ１３Ａ）。
【０３１２】
ステップＳ１３Ａにおいて、Ｎ個のウェイクアップＩＤの全てが無線基地局１の識別情報（ＩＤ）に一致しないと判定されたとき、一連の動作は、ステップＳ３へ戻る。
【０３１３】
一方、ステップＳ１３Ａにおいて、Ｎ個のウェイクアップＩＤのいずれかが無線基地局１の識別情報（ＩＤ）に一致すると判定されたとき、上述したステップＳ１４が実行される。これにより、一連の動作が終了する。
【０３１４】
図２６は、図１に示す無線通信システムにおける更に別の動作を説明するための実施の形態２におけるフローチャートである。
【０３１５】
図２６に示すフローチャートは、図２５に示すフローチャートのステップＳ９２をステップＳ１０１に代えたものであり、その他は、図２５に示すフローチャートと同じである。
【０３１６】
図２６を参照して、一連の動作が開始されると、無線基地局１は、上述したステップＳ１〜ステップＳ３を順次実行し、その後、端末装置２Ａは、上述したステップＳ４〜ステップＳ６，Ｓ９１を順次実行する。
【０３１７】
そして、ステップＳ９１の後、端末装置２Ａは、図１５に示すフローチャートのステップＳ２１，Ｓ２２を順次実行し、ステップＳ２７またはステップＳ２８において、図１８に示すフローチャートに従って無線フレームＦＲを連送する（ステップＳ１０１）。
【０３１８】
そうすると、無線基地局１は、上述したステップＳ１２Ｃ，Ｓ１３Ａ，Ｓ１４を順次実行する。これにより、一連の動作が終了する。
【０３１９】
図２７は、図１に示す無線通信システムにおける更に別の動作を説明するための実施の形態２におけるフローチャートである。
【０３２０】
図２７に示すフローチャートは、図２５に示すステップＳ９２を図１９に示すステップＳ３１〜Ｓ３５，Ｓ５１に代え、図２５に示すステップＳ１２Ｃ，Ｓ１３ＡをそれぞれステップＳ１２，Ｓ１３に代え、ステップＳ１５を追加したものであり、その他は、図２５に示すフローチャートと同じである。
【０３２１】
そして、ステップＳ３１〜Ｓ３５，Ｓ５１は、図１５に示すフローチャートのステップＳ２７またはステップＳ２８において実行される。即ち、ステップＳ３１〜Ｓ３５，Ｓ５１は、干渉が一切無い場合、または少なくとも１つのチャネルに干渉が有る場合に実行される。
【０３２２】
図２７を参照して、一連の動作が開始されると、無線基地局１は、上述したステップＳ１〜Ｓ３を順次実行し、その後、端末装置２Ａは、上述したステップＳ４〜Ｓ６，Ｓ９１を順次実行する。
【０３２３】
そして、端末装置２Ａは、図１９に示すステップＳ３１〜Ｓ３３を順次実行する。その後、無線基地局１は、上述したステップＳ１２，Ｓ１３を順次実行する。
【０３２４】
ステップＳ１３において、ウェイクアップＩＤが無線基地局１の識別情報（ＩＤ）に一致すると判定されたとき、無線基地局１は、上述したステップＳ１４を実行し、その後、起動通知を生成して送信する（ステップＳ１５）。
【０３２５】
そして、ステップＳ１３において、ウェイクアップＩＤが無線基地局１の識別情報（ＩＤ）に一致しないと判定されたとき、またはステップＳ１５の後、端末装置２Ａは、上述したステップＳ５１，Ｓ３４，Ｓ３５を順次実行する。
【０３２６】
そして、ステップＳ１において、スリープ状態へ移行しないと判定されたとき、またはステップＳ５１において、ウェイクアップに成功したと判定されたとき、またはステップＳ３５において、ｎ＜Ｎでないと判定されたとき、一連の動作が終了する。
【０３２７】
図２８は、図１に示す無線通信システムにおける更に別の動作を説明するための実施の形態２におけるフローチャートである。
【０３２８】
図２８に示すフローチャートは、図２５に示すステップＳ９２を図２０に示すステップＳ４１〜Ｓ４７，Ｓ５１に代え、図２５に示すステップＳ１２Ｃ，Ｓ１３ＡをそれぞれステップＳ１２，Ｓ１３に代え、ステップＳ１５を追加したものであり、その他は、図２５に示すフローチャートと同じである。
【０３２９】
そして、ステップＳ４１〜Ｓ４７，Ｓ５１は、図１５に示すフローチャートのステップＳ２７またはステップＳ２８において実行される。即ち、ステップＳ４１〜Ｓ４７，Ｓ５１は、干渉が一切無い場合、または少なくとも１つのチャネルに干渉が有る場合に実行される。
【０３３０】
図２８を参照して、一連の動作が開始されると、無線基地局１は、上述したステップＳ１〜Ｓ３を順次実行し、その後、端末装置２Ａは、上述したステップＳ４〜Ｓ６，Ｓ９１を順次実行する。
【０３３１】
そして、端末装置２Ａは、図２０に示すステップＳ４１〜Ｓ４４を順次実行する。その後、無線基地局１は、上述したステップＳ１２，Ｓ１３を順次実行する。
【０３３２】
ステップＳ１３において、ウェイクアップＩＤが無線基地局１の識別情報（ＩＤ）に一致すると判定されたとき、無線基地局１は、上述したステップＳ１４を実行し、その後、起動通知を生成して送信する（ステップＳ１５）。
【０３３３】
そして、ステップＳ１３において、ウェイクアップＩＤが無線基地局１の識別情報（ＩＤ）に一致しないと判定されたとき、またはステップＳ１５の後、端末装置２Ａは、上述したステップＳ５１，Ｓ４５，Ｓ４６，Ｓ４７を順次実行する。
【０３３４】
そして、ステップＳ１において、スリープ状態へ移行しないと判定されたとき、またはステップＳ５１において、ウェイクアップに成功したと判定されたとき、またはステップＳ４６において、ｎ＜Ｎでないと判定されたとき、一連の動作が終了する。
【０３３５】
図２９は、図１に示す無線通信システムにおける更に別の動作を説明するための実施の形態２におけるフローチャートである。
【０３３６】
図２９に示すフローチャートは、図９にフローチャートのステップＳ７〜ステップＳ１１をステップＳ９１，Ｓ１１１に代えたものであり、その他は、図９に示すフローチャートと同じである。
【０３３７】
図２９を参照して、一連の動作が開始されると、無線基地局１は、上述したステップＳ１〜ステップＳ３を順次実行し、その後、端末装置２Ａは、上述したステップＳ４〜Ｓ６，Ｓ９１を順次実行する。
【０３３８】
そして、ステップＳ９１の後、端末装置２Ａは、図１５に示すフローチャートのステップＳ２１，Ｓ２２を順次実行し、その後、ステップＳ２７またはステップＳ２８において、周波数帯域が連続する複数のチャネルにおいて、チャネルを順次切り替えながらＣＳＭＡ／ＣＡ方式に従って無線フレームＦＲを送信する（ステップＳ１１１）。
【０３３９】
その後、無線基地局１は、上述したステップＳ１２〜ステップＳ１４を順次実行する。これにより、一連の動作が終了する。
【０３４０】
上記においては、起動させたい無線基地局１の識別情報（ＩＤ）を１個の無線フレームＦＲのフレーム長によって表すと説明したが、この発明の実施の形態においては、これに限らず、起動させたい無線基地局１の識別情報（ＩＤ）を２個以上の無線フレームのフレーム長によって表してもよい。
【０３４１】
また、上記においては、起動させたい無線基地局１の識別情報（ＩＤ）をフレーム長によって表すと説明したが、この発明の実施の形態においては、これに限らず、起動させたい無線基地局１の識別情報（ＩＤ）をビット列によって表してもよい。
【０３４２】
更に、上記においては、無線通信システム１０は、無線基地局１と、端末装置２（または端末装置２Ａ）とを備えると説明したが、この発明に実施の形態においては、これに限らず、無線通信システム１０は、各々が無線通信を行う複数の無線装置を備えていればよい。
【０３４３】
上述した実施の形態１においては、チャネルＣｈ１〜Ｃｈｍの全てに干渉が無いとき、チャネルＣｈ１〜Ｃｈｍの全てを用いたチャネルボンディングを選択し、その選択したチャネルボンディングによってウェイクアップ信号を送信することを説明した。
【０３４４】
また、実施の形態１においては、チャネルＣｈ１〜Ｃｈｍの全てに干渉が無いとき、チャネルＣｈ１〜Ｃｈｍのうちの１つのチャネルまたはチャネルＣｈ１〜Ｃｈｍのうちの２以上のチャネルを用いたチャネルボンディングを選択し、その選択した１つのチャネルを用いてウェイクアップ信号を送信し、またはその選択したチャネルボンディングによってウェイクアップ信号を送信することを説明した。
【０３４５】
更に、実施の形態２においては、チャネルＣｈ１〜Ｃｈｍの全てに干渉が無いとき、チャネルＣｈ１〜Ｃｈｍのうちの１つのチャネルを選択し、その選択した１つのチャネルを用いてウェイクアップ信号を送信し、チャネルＣｈ１〜Ｃｈｍのうちの１つのチャネルのみに干渉が有るとき、その干渉が有る１つのチャネルのみを選択し、その選択した１つのチャネルのみを用いてウェイクアップ信号を送信し、チャネルＣｈ１〜Ｃｈｍのうちの複数のチャネルに干渉が有るとき、チャネルＣｈ１〜Ｃｈｍの全てを用いたチャネルボンディングを選択し、その選択したチャネルボンディングによってウェイクアップ信号を送信することを説明した。
【０３４６】
更に、実施の形態２においては、チャネルＣｈ１〜Ｃｈｍの全てに干渉が無いとき、干渉が無い少なくとも１つのチャネル選択し、その選択した少なくとも１つのチャネルを用いてウェイクアップ信号を送信し、チャネルＣｈ１〜Ｃｈｍのうちの少なくとも１つのチャネルに干渉が有るとき、干渉が有る少なくとも１つのチャネルを選択し、その選択した少なくとも１つのチャネルを用いてウェイクアップ信号を送信することを説明した。
【０３４７】
更に、実施の形態２においては、チャネルＣｈ１〜Ｃｈｍにおける干渉の有無に関わらず、周波数帯域が連続する複数のチャネル内において、チャネルを順次切り替えながらウェイクアップ信号を送信することを説明した。
【０３４８】
そして、上述したウェイクアップ信号は、無線基地局１をスリープ状態から起動状態へ移行させるための信号である。即ち、ウェイクアップ信号は、無線基地局１を制御する信号である。従って、この発明の実施の形態においては、無線装置を制御するための制御信号を上述した各種の方法によって送信してもよい。
【０３４９】
また、無線通信システム１０は、無線基地局１と、端末装置２（または端末装置２Ａ）とを備えるものに限らず、複数の無線装置を備えていればよいことを説明した。
【０３５０】
従って、この発明の実施の形態による無線装置は、通信チャネルが空いているとき無線通信を行い、かつ通信チャネルが空いていないとき無線通信を行わない無線通信方式に従って無線通信を行う無線装置であって、無線装置を制御するための制御信号を生成する生成手段と、当該無線装置が無線通信に用いる通信帯域の少なくとも１つの通信チャネルの干渉の程度に基づいて制御信号を送信するための少なくとも１つの通信チャネルを選択する選択手段と、選択手段によって選択された少なくとも１つの通信チャネルを用いて無線通信方式に従って前記制御信号を送信する送信手段とを備えていればよい。
【０３５１】
全ての通信チャネルに干渉が無いとき、全ての通信チャネルのうちの少なくとも１つの通信チャネルを用いてウェイクアップ信号を送信すれば、干渉信号がウェイクアップ信号に重畳することは無く、全ての通信チャネルのうちの少なくとも１つのチャネルに干渉が有るとき、干渉が有る少なくとも１つのチャネルを用いてウェイクアップ信号を送信すれば、他の無線装置がウェイクアップ信号を検知して自己の無線通信を中止するので干渉信号がウェイクアップ信号に重畳することは無い。その結果、ウェイクアップ信号を送信先へ正確に送信できるからである。
【０３５２】
なお、この発明の実施の形態においては、「干渉の程度」は、干渉が有ることと、干渉が無いこととの両方を含む概念である。即ち、「干渉の程度」は、干渉が無い場合、最も小さく、干渉が有る場合、干渉が多くなるに従って大きくなる。
【０３５３】
また、この発明の実施の形態においては、ウェイクアップの対象である無線装置がウェイクアップしたか否かを検知せずにウェイクアップ信号を複数回送信することを「ウェイクアップ信号の連送」と言い、ウェイクアップの対象である無線装置がウェイクアップしなかったことを検知すると、ウェイクアップ信号を再び送信することを「ウェイクアップ信号の再送」と言う。
【０３５４】
今回開示された実施の形態はすべての点で例示であって制限的なものではないと考えられるべきである。本発明の範囲は、上記した実施の形態の説明ではなくて特許請求の範囲によって示され、特許請求の範囲と均等の意味および範囲内でのすべての変更が含まれることが意図される。
【産業上の利用可能性】
【０３５５】
この発明は、無線装置およびそれを備えた無線通信システムに適用される。
【符号の説明】
【０３５６】
１  無線基地局、２，２Ａ  端末装置、１０  無線通信システム、１１，２１  アンテナ、１２  切替器、１３，１３Ａ  ウェイクアップ信号受信機、１４  メイン装置、１５  電源、２０  有線ケーブル、２２，２２Ａ，１４１  無線通信モジュール、２３，１４３  ホストシステム、３０  ネットワーク、１３１  ＢＰＦ、１３２  包絡線検波器、１３３  ビット判定器、１３４  フレーム長検出器、１３５，１３５Ａ  ＩＤ識別器、１４２  有線通信モジュール、２３１  ウェイクアップ信号生成部、１３０−１〜１３０−ｍ  信号受信器。
【図１】
0006492380.tif 000002
【図２】
0006492380.tif 000003
【図３】
0006492380.tif 000004
【図４】
0006492380.tif 000005
【図５】
0006492380.tif 000006
【図６】
0006492380.tif 000007
【図７】
0006492380.tif 000008
【図８】
0006492380.tif 000009
【図９】
0006492380.tif 000010
【図１０】
0006492380.tif 000011
【図１１】
0006492380.tif 000012
【図１２】
0006492380.tif 000013
【図１３】
0006492380.tif 000014
【図１４】
0006492380.tif 000015
【図１５】
0006492380.tif 000016
【図１６】
0006492380.tif 000017
【図１７】
0006492380.tif 000018
【図１８】
0006492380.tif 000019
【図１９】
0006492380.tif 000020
【図２０】
0006492380.tif 000021
【図２１】
0006492380.tif 000022
【図２２】
0006492380.tif 000023
【図２３】
0006492380.tif 000024
【図２４】
0006492380.tif 000025
【図２５】
0006492380.tif 000026
【図２６】
0006492380.tif 000027
【図２７】
0006492380.tif 000028
【図２８】
0006492380.tif 000029
【図２９】
0006492380.tif 000030